(57)【要約】【課題】ヒートシンクの放熱性を向上できる照明ユニットを提供する。【解決手段】照明装置１Ａは、照明ユニットＳＵ１と、支持部材８と、を備える。支持部材８は、照明ユニットＳＵ１を支持する。照明ユニットＳＵ１は、複数の光源ユニット２と、ヒートシンク６と、を備える。ヒートシンク６は、複数の光源ユニット２に設けられている。複数の光源ユニット２は、一方向に並んだ２つ以上の光源ユニット２を含む。ヒートシンク６は、一方向に並んだ２つ以上の光源ユニット２にわたって配置されている。【選択図】図１
2020009760.tif 000002
【特許請求の範囲】
【請求項１】
照明ユニットと、
前記照明ユニットを支持する支持部材と、を備え
前記照明ユニットは、
複数の光源ユニットと、
前記複数の光源ユニットに設けられたヒートシンクと、を備え、
前記複数の光源ユニットは、一方向に並んだ２以上の光源ユニットを含み、
前記ヒートシンクは、前記一方向に並んだ前記２以上の光源ユニットにわたって配置された
照明装置。
【請求項２】
前記照明ユニットを第１照明ユニットとし、
前記複数の光源ユニットの各々を第１光源ユニットとし、
前記ヒートシンクを第１ヒートシンクとし、
前記第１照明ユニットとは別の照明ユニットである第２照明ユニットと、
前記第１照明ユニットと前記第２照明ユニットとを連結する連結部材と、を備え、
前記第２照明ユニットは、第２光源ユニットと、前記第２光源ユニットに設けられた第２ヒートシンクと、を備え、
前記第２照明ユニットは、前記第１照明ユニットの上側に間隔を空けて配置された
請求項１に記載の照明装置。
【請求項３】
前記第１照明ユニットと前記第２照明ユニットとが並ぶ方向に直交する方向を側方とし、
前記連結部材は、前記第１照明ユニット及び前記第２照明ユニットの各々の側方に配置された
請求項２に記載の照明装置。
【請求項４】
前記第２光源ユニットは、複数設けられ、
前記第２ヒートシンクは、前記複数の第２光源ユニットにわたって配置され、
前記連結部材は、前記第１ヒートシンク及び前記第２ヒートシンクの各々の側方に配置されて、前記第１ヒートシンクと前記第２ヒートシンクとを連結する
請求項３に記載の照明装置。
【請求項５】
前記第１ヒートシンクは、
第１ベース部と、
前記第１ベース部から突出された第１放熱フィンとを有し、
前記第２ヒートシンクは、
第２ベース部と、
前記第２ベース部から突出された第２放熱フィンとを有し、
前記第１ベース部からの前記第１放熱フィンの高さは、前記第２ベース部からの前記第２放熱フィンの高さと異なる
請求項２〜４の何れか１項に記載の照明装置。
【請求項６】
前記第１ベース部からの前記第１放熱フィンの高さは、前記第２ベース部からの前記第２放熱フィンの高さよりも低い
請求項５に記載の照明装置。
【請求項７】
前記第２照明ユニットは、前記連結部材に対して可動可能に連結された
請求項２〜６の何れか１項に記載の照明装置。
【請求項８】
前記第１照明ユニット及び前記第２照明ユニットの少なくとも一方の落下を防止するための落下防止部材を更に備え、
前記連結部材は、第１の組のねじによって前記落下防止部材と共に前記第１照明ユニットに連結され、第２の組のねじによって前記落下防止部材と共に前記第２照明ユニットに連結され、
前記落下防止部材は、第３の組の貫通孔と、第４の組の貫通孔とを有し、
前記第３の組の貫通孔は、前記第１の組のねじが挿入される２つの第１丸孔及び１つの第１長孔を有し、前記第１長孔は、前記２つの第１丸孔の並ぶ方向に交差する方向に延び、
前記第４の組の貫通孔は、前記第２の組のねじかが挿入される２つの第２丸孔及び１つの第２長孔を有し、前記第２長孔は、前記２つの第２丸孔の並ぶ方向に交差する方向に延びている、
請求項２〜７の何れか１項に記載の照明装置。
【請求項９】
前記第１照明ユニット及び前記第２照明ユニットは、互いに上下方向に並び、
前記連結部材は、前記第１の組のねじ及び前記第２の組のねじによって、前記第１照明ユニット及び前記第２照明ユニットの各々における横幅方向の端部に連結され、
前記第１の組のねじ及び前記第２の組のねじの各々のねじ軸は、前記横幅方向に延び、
前記第１長孔及び前記第２長孔はそれぞれ、前記上下方向と前記横幅方向とに交差する方向に延びている、
請求項８に記載の照明装置。
【請求項１０】
前記連結部材を第１連結部材とし、
前記落下防止部材を第１落下防止部材とし、
前記第１照明ユニットは、第３照明ユニット及び第４照明ユニットを有し、
前記第３照明ユニット及び前記第４照明ユニットを連結する第２連結部材と、
前記第３照明ユニット又は前記第４照明ユニットの落下を防止する第２落下防止部材とを更に備え、
前記第１連結部材は、前記第３照明ユニット及び前記第４照明ユニットのうちの一方と前記第２照明ユニットを連結し、
前記第２連結部材は、第５の組のねじによって前記第２落下防止部材と共に前記第３照明ユニットと連結され、第６の組のねじによって前記第２落下防止部材と共に前記第４照明ユニットと連結され、
前記第２落下防止部材は、第７の組の貫通孔と、第８の組の貫通孔とを有し、
前記第７の組の貫通孔は、前記第５の組のねじが挿入される２つの第３丸孔及び１つの第３長孔を有し、前記第３長孔は、前記２つの第３丸孔の並ぶ方向に交差する方向に延び、
前記第８の組の貫通孔は、前記第６の組のねじの何れかが挿入される２つの第４丸孔及び１つの第４長孔を有し、前記第４長孔は、前記２つの第４丸孔の並ぶ方向に交差する方向に延びている、
請求項８又は９に記載の照明装置。
【請求項１１】
前記照明ユニットは、光軸を有し、
前記支持部材は、
所定の設置場所に固定される固定板と、
前記固定板から延び、前記照明ユニットの側面に回転可能に連結されたアーム片と、を備え、
前記アーム片の両側の主面は、前記光軸が前記固定板に平行であるときの前記光軸に平行である
請求項１〜１０の何れか１項に記載の照明装置。
【請求項１２】
前記照明ユニットに電力を供給する電源ボックスを更に備え、
前記複数の光源ユニットと前記電源ボックスとの間に前記ヒートシンクが配置され、
前記ヒートシンクにおける前記電源ボックスの側から見て、前記電源ボックスは、前記ヒートシンクの輪郭の範囲内に配置された
請求項１〜１１の何れか１項に記載の照明装置。
【請求項１３】
前記電源ボックスは、
基部と、
前記基部の取付面に取り付けられた複数のコンパータと、
前記取付面を覆うように前記基部に着脱可能に取り付けられたカバーとを備えた、
請求項１２に記載の照明装置。
【請求項１４】
落下防止用のワイヤーを更に備え、
前記基部は、前記ワイヤーの一端部が連結される連結部を有し、
前記ワイヤーの他端部は、前記支持部材に連結されている、
請求項１３に記載の照明装置。
【請求項１５】
前記複数の光源ユニットに電気的に接続された電線と、前記電源ボックスの電源回路に電気的に接続された電線とを電気的に接続する結線ボックスを更に備え、
前記ヒートシンクと前記結線ボックスとの間に前記電源ボックスが配置された
請求項１２に記載の照明装置。
【請求項１６】
前記複数の光源ユニットのうちの少なくとも１つの光源ユニットを覆う複数のカバーを備え、
前記複数のカバーは、前記一方向に並んだ２つ以上のカバーを含み、
前記一方向に並んだ前記２つ以上のカバーは、隣合うカバーが隣接して配置された
請求項１〜１５のうちの一項に記載の照明装置。
【発明の詳細な説明】
【技術分野】
【０００１】
本開示は、照明装置に関し、より詳細には、ヒートシンクを備えた照明装置に関する。
【背景技術】
【０００２】
特許文献１に記載の照明器具は、複数の光源ユニットを備えている。各光源ユニットは、ＬＥＤモジュールと、ＬＥＤモジュールに設けられた放熱ブロック（ヒートシンク）とを備えている。複数の光源ユニットは、上下二段に配置されている。上段の光源ユニットと下段の光源ユニットとの間には、空間が設けられている。上記の空間によって、上段のＬＥＤモジュールと下段のＬＥＤモジュールとの間に空間が確保されている。また、上記の空間によって、上段の放熱ブロックと下段の放熱ブロックとの間に空間が確保されている。
【先行技術文献】
【特許文献】
【０００３】
【特許文献１】特開２０１７−４５６１９号公報
【発明の概要】
【発明が解決しようとする課題】
【０００４】
特許文献１に記載の照明器具では、照明器具の光軸が下方向に向けられた場合は、照明器具の前面側（すなわち光照射面側）から上記の空間に空気が効率良く流れ込むため、放熱ブロックの温度上昇を十分に抑制可能である。しかし、照明器具の光軸が前方斜め下方向に向けられた場合は、照明器具の前面側から上記の空間に空気が流れ込み難くなり、放熱ブロックの放熱性が低下していた。
【０００５】
本開示は、上記の問題に鑑みてなされたものであり、ヒートシンクの放熱性を向上できる照明装置を提供することを目的とする。
【課題を解決するための手段】
【０００６】
本開示の一態様に係る照明装置は、照明ユニットと、支持部材と、を備える。前記支持部材は、前記照明ユニットを支持する。前記照明ユニットは、複数の光源ユニットと、ヒートシンクと、を備える。前記ヒートシンクは、前記複数の光源ユニットに設けられている。前記複数の光源ユニットは、一方向に並んだ２つの以上の光源ユニットを含む。前記ヒートシンクは、前記一方向に並んだ前記２つ以上の光源ユニットにわたって配置されている。
【発明の効果】
【０００７】
本開示に係る照明装置は、ヒートシンクの放熱性を向上できる、という効果を有する。
【図面の簡単な説明】
【０００８】
【図１】図１は、実施形態１に係る照明装置を前側から見た斜視図である。
【図２】図２は、同上の照明装置を後側から見た斜視図である。
【図３】図３は、同上の照明装置の照明ユニットを示す分解斜視図である。
【図４】図４は、同上の照明装置における支持部材を分解した部分分解斜視図である。
【図５】図５は、同上の照明装置を示す正面図である。
【図６】図６は、同上の照明装置を示す背面図である。
【図７】図７Ａは、ヒートシンクの変形例を示す背面図である。図７Ｂは、ヒートシンクの別の変形例を示す背面図である。
【図８】図８は、実施形態２に係る照明装置を右斜め前から見た斜視図である。
【図９】図９は、同上の照明装置を左斜め前から見た斜視図である。
【図１０】図１０は、同上の照明装置を示す背面図である。
【図１１】図１１は、実施形態２の変形例に係る照明装置を示す側面図である。
【図１２】図１２は、実施形態３に係る照明装置を示す正面図である。
【図１３】図１３は、同上の照明装置を示す側面図である。
【図１４】図１４は、同上の照明装置を示す背面図である。
【図１５】図１５は、実施形態４に係る照明装置を右前側から見た斜視図である。
【図１６】図１６は、同上の照明装置を右後側から見た斜視図である。
【図１７】図１７は、同上の照明装置を左後側から見た斜視図である。
【図１８】図１８は、アーム部材が取り外された状態の同上の照明装置を左後側から見た斜視図である。
【図１９】図１９は、同上の照明装置の要部を示す分解斜視図である。
【図２０】図２０は、同上の照明装置を示す側面図である。
【図２１】図２１は、同上の照明装置の電源ボックスを示す分解斜視図である。
【発明を実施するための形態】
【０００９】
（実施形態１）
本実施形態に係る照明装置１Ａについて、図面を参照して詳細に説明する。本実施形態に係る照明装置１Ａは、例えば、各種の競技場（サッカースタジアムなど）、学校の運動場又は駐車場を照明（投光照明）する用途に用いられる投光器である。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１０】
なお、以下の説明では、特に断りの無い限り、図１において、照明装置１Ａの前後、左右、上下の各方向を規定する。すなわち、照明装置１Ａにおけるカバー３側を前とし、照明装置１Ａにおけるヒートシンク６側を後とする。また、照明装置１Ａの正面から見て上側を上とし、下側を下とし、左側を左とし、右側を右とする。なお、図１では、照明装置１Ａの光軸Ｌ１は、基準位置にある。基準位置とは、照明装置１Ａの光軸Ｌ１が支持部材８の固定板１２に平行になる位置である。すなわち、以下の説明では、図１に示すように光軸Ｌ１が基準位置にある状態を基準として、照明装置１Ａの前後、左右、上下の各方向が規定されている。
【００１１】
本実施形態に係る照明装置１Ａは、図１及び図２に示すように、照明ユニットＳＵ１と、保持部材７と、支持部材８と、電源ボックス１８と、結線ボックス１９とを備えている。照明ユニットＳＵ１は、図３に示すように、複数（例えば４つ）の光源ユニット２と、２つのカバー３と、２つの防水パッキン４と、２つの押え部材５と、１つのヒートシンク６と、を備えている。なお、カバー３、防水パッキン４及び押え部材５の各々の数は、２つに限定されず、１つでも、３つ以上でもよい。
【００１２】
複数の光源ユニット２は、図３に示すように、照明ユニットＳＵ１の光源を構成する。複数の光源ユニット２は、４つの光源ユニット２Ａ，２Ｂ，２Ｃ，２Ｄで構成されている。複数の光源ユニット２は、ヒートシンク６の前面６１ｓにおいて、縦横に配置されている。より詳細には、複数の光源ユニット２は、ヒートシンク６の前面６１ｓおいて、横方向に光源ユニット２が２つ並べられ、縦方向に光源ユニット２が２つ並べられている。すなわち、複数の光源ユニット２は、ヒートシンク６の前面６１ｓにおいて、上下２段に配置（配列）されている。その配列の上段には、２つの光源ユニット２Ａ，２Ｃが左右に並べられており、下段には、２つの光源ユニット２Ｂ，２Ｄが左右に並べられている。
【００１３】
各光源ユニット２は、図３に示すように、発光モジュール２１と、固定カバー２２と、熱伝導シート２３と、を備えている。
【００１４】
発光モジュール２１は、複数個の発光素子（例えば発光ダイオード）２１ａと、回路基板２１ｂと、を有する。発光素子２１ａは、例えば、白色光を放射する白色発光ダイオードである。回路基板２１ｂは、例えば、アルミニウム又はアルミ合金製の基板の表面に絶縁膜を介して導電体（銅箔）が形成されたアルミ基板で構成されている。回路基板２１ｂは、例えば矩形平板状である。複数個の発光素子２１ａは、回路基板２１ｂの前面に設けられ、かつ、回路基板２１ｂの前面に形成される導電体によって電気的に接続されている。複数個の発光素子２１ａは、回路基板２１ｂの前面において縦横に配置されている。
【００１５】
熱伝導シート２３は、発光モジュール２１で発生した熱を回路基板２１ｂからヒートシンク６へ効率良く伝導させるための部材である。熱伝導シート２３は、電気絶縁性と熱伝導性とを有する。熱伝導シート２３は、例えば矩形のシート状に形成されている。熱伝導シート２３の平面サイズは、発光モジュール２１の平面サイズ（すなわち回路基板２１ｂの平面サイズ）と同程度のサイズである。熱伝導シート２３は、発光モジュール２１の回路基板２１ｂの後面と、ヒートシンク６との間に介在するように配置されている。要するに、熱伝導シート２３は、回路基板２１ｂの後面及びヒートシンク６の両方に接触するように配置されている。熱伝導シート２３は、例えば、エラストマー材料で形成されてもよいし、シリコーンゲルで形成されてもよいし、フィラーを含有させたアクリル樹脂で形成されてもよい。
【００１６】
固定カバー２２は、発光モジュール２１及び熱伝導シート２３をヒートシンク６の前面６１ｓに固定する部材である。固定カバー２２は、例えば樹脂又は金属部材で形成されている。固定カバー２２は、例えば矩形の板状に形成されている。固定カバーの平面サイズは、回路基板２１ｂよりも一回り大きいサイズに形成されている。固定カバー２２は、発光モジュール２１の複数の発光素子２１ａに対応した複数の窓孔２２ａを有する。各窓孔２２ａは、対応する発光素子２１ａを露出するための窓孔である。
【００１７】
各光源ユニット２では、熱伝導シート２３、発光モジュール２１及び固定カバー２２がこの順にヒートシンク６の前面６１ｓ上に重ねられて配置されている。各光源ユニット２は、例えばねじによって、ヒートシンク６の前面６１ｓに固定されている。この固定状態では、発光モジュール２１及び熱伝導シート２３は、固定カバー２２とヒートシンク６との間に挟まれて固定されている。そして、発光モジュール２１の複数の発光素子２１ａが、固定カバー２２の対応する窓孔２２ａから露出している。回路基板２１ｂは、熱伝導シート２３を介してヒートシンク６の前面６１ｓに接触しているため、発光モジュール２１で発生した熱は、回路基板２１ｂ及び熱伝導シート２３を介してヒートシンク６へ効率良く伝導する。
【００１８】
２つのカバー３は、光源ユニット２を覆う部材である。各カバー３は、ヒートシンク６の前面６１ｓに固定される。各カバー３は、透光性を有する樹脂材料（例えばポリカーボネート樹脂）で形成されている。これにより、光源ユニット２から放射された光を透光可能である。各カバー３は、複数の光源ユニット２のうち２つの光源ユニット２をまとめて覆う。具合的には、一方（上側）のカバー３Ａは、複数の光源ユニット２のうち上段に並ぶ２つの光源ユニット２Ａ，２Ｃをまとめて覆う。他方（下側）のカバー３Ｂは、複数の光源ユニット２のうち下段に並ぶ２つの光源ユニット２Ｂ，２Ｄをまとめて覆う。なお、各カバー３が覆う光源ユニット２の数は、１つであってもよいし、３つ以上であってもよい。なお、２つのカバー３は、互いに同形同大であるが、互いに同形同大であることに限定されない。
【００１９】
各カバー３は、カバー本体３１と、鍔部３２と、を有する。カバー本体３１及び鍔部３２は、一体に形成されている。カバー本体３１は、一面（後面）が開口する矩形箱状に形成されている。カバー本体３１の開口の開口面は、ヒートシンク６の前面６１ｓの上側半分又は下側半分の大きさよりも一回り小さい矩形状に形成されている。鍔部３２は、カバー本体３１の開口する一面の周縁から全周にわたって外向きに突出している。鍔部３２は、ヒートシンク６の前面６１ｓの上側半分又は下側半分の大きさと同程度の大きさの矩形の枠状に形成されている。鍔部３２は、カバー本体３１の開口する一面の周縁から全周にわたって外向きに突出している。
【００２０】
２つの防水パッキン４は、２つのカバー３に一対一に対応し、対応するカバー３の鍔部３２とヒートシンク６との間を密閉する。２つの防水パッキン４のうち、一方（上側）の防水パッキン４Ａがカバー３Ａに対応し、他方（下側）の防水パッキン４Ｂがカバー３Ｂに対応している。各防水パッキン４は、電気絶縁性を有する弾性材料（例えばシリコーンゴム）によって矩形の枠状に形成されている。各防水パッキン４は、凹溝４ａを有する。凹溝４ａは、対応するカバー３の鍔部３２が嵌る部分である。凹溝４ａは、防水パッキン４の内周面において周方向全体にわたって形成されている。各防水パッキン４は、対応するカバー３の鍔部３２が凹溝４ａ内に嵌るように、対応するカバー３に取り付けられる。
【００２１】
カバー３Ａは、その鍔部３２に防水パッキン４Ａが取り付けられた状態で、ヒートシンク６の前面６１ｓの上側半分６１ｔ（すなわち上段）に配置される。この状態で、カバー３Ａは、ヒートシンク６の前面６１ｓの上側半分６１ｔに配置された２つの光源ユニット２Ａ，２Ｂを覆う。カバー３Ｂは、その鍔部３２に防水パッキン４Ｂが取り付けられた状態で、ヒートシンク６の前面６１ｓの下側半分６１ｕ（すなわち下段）に配置される。この状態で、カバー３Ｂは、ヒートシンク６の前面６１ｓの下側半分６１ｕに配置された２つの光源ユニット２Ｂ，２Ｄを覆う。
【００２２】
２つの押え部材５は、２つのカバー３に一対一に対応し、対応するカバー３の鍔部３２をヒートシンク６の前面６１ｓに固定する部材である。２つの押え部材５のうち、一方（上側）の押え部材５Ａがカバー３Ａに対応し、他方（下側）の押え部材５Ｂがカバー３Ｂに対応している。
【００２３】
各押え部材５は、防水パッキン４よりも一回り大きい矩形の枠状である。各押え部材５は、金属板（例えばステンレス鋼板）で形成されている。各押え部材５は、基部５１と、側部５２と、を有する。基部５１及び側部５２は、一体に形成されている。基部５１は、カバー３の鍔部３２の前面に防水パッキン４を介して配置する部分である。基部５１は、矩形環形の板状に形成されている。基部５１は、複数のねじ挿通孔５１ａを有する。複数のねじ挿通孔５１ａは、基部５１において、周方向に沿って互いに間隔を空けて形成されている。側部５２は、カバー３の鍔部３２の外周側に配置する部分である。側部５２は、基部５１の外周縁から基部５１の後面側に突出し、且つ基部５１の外周の全周にわたって形成されている。
【００２４】
各押え部材５は、対応するカバー３の鍔部３２に取り付けられた防水パッキン４の前面に重ねられる。この状態で、各押え部材５のねじ挿通孔５１ａに、ねじ５３（図１参照）が通される。ねじ５３は、鍔部３２のねじ挿通孔５１ａを通ってヒートシンク６の前面６１ｓのねじ孔にねじ込まれる。このように、各カバー３は、対応する押え部材５によってヒートシンク６の前面６１ｓに固定される。すなわち、カバー３Ａは、ヒートシンク６の前面６１ｓの上側半分６１ｔに固定される。カバー３Ｂは、ヒートシンク６の前面６１ｓの下側半分６１ｕに固定される。
【００２５】
この固体状態では、２つのカバー３Ａ，３Ｂは、上下方向（一方向）に並んでいる。すなわち、２つのカバー３は、ヒートシンク６の前面６１ｓにおいて、上下方向に並んだカバー３Ａ，３Ｂを含む。２つのカバー３Ａ，３Ｂは、互いに上下方向に隣接して配置されている。これにより、照明ユニットＳＵ１における上下方向の長さを短くでき、照明装置１Ａを小型化できる。なお、上記の「隣接」とは、隣合うカバー３Ａ，３Ｂが互いに接する場合に限定されず、隣合うカバー３Ａ，３Ｂが互いに一定距離以内に配置されている場合も含まれる。上記の「一定距離」は、例えば２０ｍｍである。または、上記の「一定距離」は、例えば、ヒートシンク６の前面６１ｓの上下方向の長さの２０分の１の長さである。
【００２６】
また、上記の固定状態では、カバー３Ａの鍔部３２の上辺部、左辺部及び右辺部がそれぞれ、ヒートシンク６の前面６１ｓの上辺部、左辺部の上半部、右辺部の上半部に重なっている。また、カバー３Ｂの鍔部３２の下辺部、左辺部及び右辺部がそれぞれ、ヒートシンク６の前面６１ｓの下縁部、左縁部の下半部、右縁部の下半部に重なっている。
【００２７】
ヒートシンク６は、図１及び図２に示すように、各光源ユニット２の発光モジュール２１で発生した熱を外部に放熱する部材である。ヒートシンク６は、熱伝導性を有する部材（例えば金属、具体的には例えばアルミニウム又はアルミ合金）で形成されている。ヒートシンク６は、ベース部６１と、複数枚の放熱フィン６２とを有する。ベース部６１及び複数枚の放熱フィン６２は、一体に形成されている。ベース部６１は、例えば矩形の平板状である。ベース部６１の前面６１ｓは、上述のように、２つのカバー３が上下に並べて配置可能な大きさの矩形状である。各放熱フィン６２は、例えば矩形の薄板状に形成されている。複数枚の放熱フィン６２は、ベース部６１の後面６１ｋから後方へ突出している。複数枚の放熱フィン６２は、厚み方向を左右方向に一致させて、互いに間隔を空けて並んでいる。複数枚の放熱フィン６２は、ベース部６１の上端から下端まで、上下方向に延びている。
【００２８】
なお、本実施形態では、ヒートシンク６の前面６１ｓは、ベース部６１の前面によって構成されている。また、ベース部６１の後面６１ｋは、ヒートシンク６の後面を構成している。以後、ベース部６１の前面をベース部６１の前面６１ｓと記載し、ヒートシンク６の後面をヒートシンク６の後面６１ｋとも記載する。
【００２９】
ヒートシンク６は、複数の光源ユニット２Ａ，２Ｂ，２Ｃ，２Ｄの後面に設けられている。すなわち、ヒートシンク６は、複数の光源ユニット２Ａ，２Ｂ，２Ｃ，２Ｄにわたって配置されている。より詳細には、ヒートシンク６は、上下方向（一方向）に並んだ光源ユニット２Ａ，２Ｂにわたって配置されている。このため、上下方向に並んだ光源ユニット２Ａ，２Ｂで発生した熱を、ヒートシンク６によって、上下方向に沿ったより広い範囲にわたって拡散して平均化できる。これにより、ヒートシンク６から熱を効果的に放熱でき、ヒートシンク６の放熱性を向上できる。同様に、ヒートシンク６は、上下方向に並んだ光源ユニット２Ｃ，２Ｄにわたって配置されている。このため、上下方向に並んだ光源ユニット２Ｃ，２Ｄから発生した熱を、ヒートシンク６によって、上下方向に沿ったより広い範囲にわたって拡散して平均化できる。これによっても、ヒートシンク６から熱を効果的に放熱でき、ヒートシンク６の放熱性を向上できる。
【００３０】
また、ヒートシンク６は、更に、左右方向（一方向）に並んだ光源ユニット２Ａ，２Ｃにわたって配置されている。このため、各光源ユニット２Ａ，２Ｃで発生した熱は、更に、左右方向に沿ったより一層広い範囲にわたって拡散して平均化できる。これにより、ヒートシンク６から熱を更に効果的に放熱でき、ヒートシンク６の放熱性を更に向上できる。同様に、ヒートシンク６は、更に、左右方向に並んだ光源ユニット２Ｂ，２Ｄにわたって配置されている。このため、左右方向に並んだ光源ユニット２Ｂ，２Ｄで発生した熱を、更に、左右方向に沿ったより広い範囲にわたって拡散して平均化できる。これにより、ヒートシンク６から熱を更に効果的に放熱でき、ヒートシンク６の放熱性を更に向上できる。
【００３１】
換言すれば、ヒートシンク６は、各光源ユニット２Ａ，２Ｂ，２Ｃ，２Ｄの各々に設けられたヒートシンク６ａ，６ｂ，６ｃ，６ｄが一体化されて構成されている。より詳細には、上下方向に並んだ光源ユニット２Ａ，２Ｂに設けられたヒートシンク６ａ，６ｂが一体化してヒートシンク６ａｂを構成している。また、上下方向に並んだ光源ユニット２Ｃ，２Ｄに設けられたヒートシンク６ｃ，６ｄが一体化してヒートシンク６ｃｄを構成している。そして、ヒートシンク６ａｂ，６ｃｄが一体化してヒートシンク６を構成している。
【００３２】
なお、ヒートシンク６は、上下方向に並んだ光源ユニット２Ａ，２Ｂ（又は２Ｃ，２Ｄ）にわたって配置される場合は、ベース部６１及び複数枚の放熱フィン６２の両方が各光源ユニット２Ａ，２Ｂ（又は２Ｃ，２Ｄ）にわたって配置されている。同様に、ヒートシンク６は、左右方向に並んだ光源ユニット２Ａ，２Ｃ（又は２Ｂ，２Ｄ）にわたって配置される場合は、ベース部６１及び放熱フィン６２のうちのベース部６１のみが各光源ユニット２Ａ，２Ｃ（又は２Ｂ，２Ｄ）にわたって配置されている。
【００３３】
なお、照明ユニットＳＵ１では、ヒートシンク６の前面６１ｓ（すなわち複数の光源ユニット２が配置された面）が、照明ユニットＳＵ１の前面であって、光源ユニット２からの光を照射する照射面である。また、ヒートシンク６の後面６１ｋが、照明ユニットＳＵ１の後面である。また、照明ユニットＳＵ１の光軸Ｌ１は、前面６１ｓに垂直である。以後、照明ユニットＳＵ１の前面を照明ユニットＳＵ１の前面６１ｓと記載し、照明ユニットＳＵ１の後面を照明ユニットＳＵ１の後面６１ｋと記載する。
【００３４】
保持部材７は、照明ユニットＳＵ１を保持する部材である。保持部材７は、図１，図２及び図４に示すように、照明ユニットＳＵ１の左右両端部に取り付けられている。なお、照明ユニットＳＵ１の左端部に取り付けられた保持部材７を保持部材７Ｌと記載し、照明ユニットＳＵ１の右端部に取り付けられた保持部材７を保持部材７Ｒと記載する。保持部材７Ｌ，７Ｒを区別しないときは、保持部材７と記載する。２つの保持部材７Ｌ，７Ｒは、上述のように、照明ユニットＳＵ１の左右両端部に取り付けられている。すなわち、２つの保持部材７Ｌ，７Ｒは、照明ユニットＳＵ１の側方に配置されている。なお、上記の「側方」とは、照明ユニットＳＵ１における光源ユニット２が設けられた面（すなわち前面）６１ｓにおいて、上下方向に直交する方向である。
【００３５】
保持部材７Ｌは、ヒートシンク６のベース部６１の左端部６１Ｌの所定箇所（例えば上下方向の中央）に取り付けられる（図１参照）。保持部材７Ｒは、ヒートシンク６のベース部６１の右端部６１Ｒの所定箇所（例えば上下方向の中央）に取り付けられる（図２参照）。保持部材７Ｌ，７Ｒは、互いに左右対称に形成されている。保持部材７Ｌ，７Ｒはそれぞれ、金属板（例えばステンレス鋼板）で形成されている。
【００３６】
ベース部６１の左端部６１Ｌ及び右端部６１Ｒは、ベース部６１の後方に突出している。すなわち、ベース部６１は、ベース本体６１Ｈ（図２参照）と、左端部６１Ｌ及び右端部６１Ｒとを有する。ベース本体６１Ｈは、例えば矩形の板状である。左端部６１Ｌは、ベース本体６１Ｈの左辺から後方に突出し、右端部６１Ｒは、ベース本体６１Ｈの右辺から後方に突出している。
【００３７】
保持部材７Ｒは、図４に示すように、基板部７１と、前側板部７２と、後側板部７３とを有する。基板部７１、前側板部７２及び後側板部７３は、一体に形成されている。基板部７１は、上下方向に延びた矩形の板状である。前側板部７２及び後側板部７３はそれぞれ、上下方向に延びた矩形の板状である。前側板部７２は、基板部７１の前辺部から基板部７１に交差する方向（左方向）に突出している。後側板部７３は、基板部７１の後辺部から基板部７１に交差する方向であって、前側板部７２と同方向（左方向）に突出している。
【００３８】
保持部材７Ｒは、複数のねじ挿通孔７ａと、複数のねじ挿通孔７ｂとを有する。複数のねじ挿通孔７ａは、ねじＮ１（図４参照）が通る貫通孔である。複数のねじ挿通孔７ａは、後側板部７３において長手方向に沿って互いに間隔を空けて設けられている。複数のねじ挿通孔７ｂは、ねじＮ２（図１参照）が通る貫通孔である。複数のねじ挿通孔７ｂは、基板部７１の長手方向に沿って互いに間隔を空けて設けられている。
【００３９】
なお、保持部材７Ｌも、保持部材７Ｒと同様に、基板部７１と、前側板部７２と、後側板部７３とを有する（図１参照）。そして、保持部材７Ｌの基板部７１及び後側板部７３も、保持部材７Ｒの基板部７１及び後側板部７３と同様に、複数のねじ挿通孔を有する。
【００４０】
保持部材７Ｒは、図４に示すように、ヒートシンク６の右端部６１Ｒの上下方向の中央に取り付けられる。この取付状態で、保持部材７Ｒの上側半部は、前側板部７２と後側板部７３との間に、ヒートシンク６のベース部６１の右端部６１Ｒと上側のカバー３Ａの鍔部３２の右辺部３２Ｒとを挟む。また、保持部材７Ｒの下側半分は、前側板部７２と後側板部７３との間に、ヒートシンク６のベース部６１の右端部６１Ｒと下側のカバー３Ｂの鍔部３２の右辺部３２Ｒとを挟む。そして、各ねじＮ１，Ｎ２が、保持部材７Ｒの各ねじ挿通孔７ａ，７ｂを通って、ヒートシンク６のねじ孔にねじ込まれている。同様に、保持部材７Ｌも、ヒートシンク６のベース部６１の左端部６１Ｌの上下方向の中央に取り付けられている（図１参照）。
【００４１】
支持部材８は、図１及び図２に示すように、スタジアム等における所定の設置場所に固定された状態で、照明ユニットＳＵ１を回転軸線Ｇ１周りに回転可能に支持する部材である。回転軸線Ｇ１は、照明ユニットＳＵ１の左右方向に延びている。より詳細には、回転軸線Ｇ１は、例えば、照明ユニットＳＵ１、電源ボックス１８及び結線ボックス１９の全体の重心（すなわち質量中心）を通って、照明ユニットＳＵ１の左右方向に延びている。本実施形態では、回転軸線Ｇ１は、例えば、照明ユニットＳＵ１における、上下方向の長さの中心を通りかつ前後方向の幅における中心よりも後側にずれた位置を通って、照明ユニットＳＵ１の左右方向に延びている。
【００４２】
このように回転軸線Ｇ１が設定されることで、照明ユニットＳＵ１の姿勢が回転軸線Ｇ１周りに傾けられた場合、回転軸線Ｇ１周りに作用するトルクが低減され、その傾いた姿勢を安定して維持できる。また、支持部材８の後述のアーム片１３Ｌ，１３Ｒの長さが長くなり過ぎることを抑制でき、アーム片１３Ｌ，１３Ｒの強度低下を抑制できる。また、照明ユニットＳＵ１と支持部材８との連結位置が照明ユニットＳＵ１の上部に位置しないため、アーム片１３Ｌ，１３Ｒの位置が上がり過ぎず、照明ユニットＳＵ１の点検作業が容易である。
【００４３】
支持部材８は、図２及び図４に示すように、２つの連結部材９と、２つの固定部材１０と、アーム部材１１と、目盛板１５（図１参照）と、を備えている。
【００４４】
２つの連結部材９は、図１及び図２に示すように、保持部材７と２つの固定部材１０とを連結する部材である。また、２つの連結部材９は、アーム部材１１と回転軸線Ｇ１周りに回転可能に連結する部材である。２つの連結部材９は、ヒートシンク６の左右両側に配置されている。より詳細には、２つの連結部材９のうち、一方の連結部材９Ｌは、ヒートシンク６の左側に配置され、保持部材７Ｌと２つの固定部材１０の左端部とを連結する（図１参照）。他方の連結部材９Ｒは、ヒートシンク６の右側に配置され、保持部材７Ｒと２つの固定部材１０の右端部とを連結する（図２参照）。２つの連結部材９は、金属（例えばステンレス）で形成されている。
【００４５】
連結部材９Ｒは、台部９１と支持部９２とを有する。台部９１は、保持部材７Ｒに連結される部分である。支持部９２は、２つの固定部材１０の右端部が連結される共に、アーム部材１１が回転可能に連結される部分である。
【００４６】
台部９１は、第１板部９３と第２板部９４とを有する。第１板部９３及び第２板部９４はともに上下方向に延びた矩形板状である。第１板部９３は、保持部材７Ｒの基板部７１に重ねる部分である。第２板部９４は、保持部材７Ｒの後側板部７３に重なる部分である。第２板部９４は、第１板部９３の後辺部から他方の連結部材９Ｌ側に突出している。第１板部９３は、複数のねじ挿通孔９３ａを有し、第２板部９４は、複数のねじ挿通孔９４ａを有する。
【００４７】
支持部９２は、例えば略台形の壁状に形成され、台部９１の後面（すなわち第２板部９４の後面）から後方に突出している。支持部９２の後端部の上下両端部９２ｂには、例えばねじによって、２つの固定部材１０の右端部が連結されている。支持部９２の外側面には、ボス部９２ａが設けられている。ボス部９２ａは、アーム部材１１が回転可能に連結される部分である。
【００４８】
連結部材９Ｌは、図４に示すように、連結部材９Ｒと左右対称に形成されている。より詳細には、連結部材９Ｌは、連結部材９Ｒと同様に、台部９１と支持部９２とを有する。連結部材９Ｌの台部９１は、連結部材９Ｒの台部９１と同様に、第１板部９３と第２板部９４とを有する。連結部材９Ｌの第１板部９３及び第２板部９４も、連結部材９Ｒの第１板部９３及び第２板部９４と同様に、複数のねじ挿通孔を有する。
【００４９】
連結部材９Ｒが保持部材７Ｒに連結された状態では、図２に示すように、台部９１の第１板部９３及び第２板部９４はそれぞれ、保持部材７の基板部７１及び後側板部７３に重なっている。この状態で、ねじＮ１が、連結部材９Ｒのねじ挿通孔９４ａ及び保持部材７Ｒのねじ挿通孔７ａを通って、ヒートシンク６にねじ込まれている。また、ねじＮ２が、連結部材９Ｒのねじ挿通孔９３ａ及び保持部材７Ｒのねじ挿通孔７ｂを通って、ヒートシンク６にねじ込まれている。このように、連結部材９Ｒは、ねじＮ１，Ｎ２によって、保持部材７Ｒと一緒にヒートシンク６に連結されている。同様に、連結部材９Ｌは、図１に示すように、ねじによって、保持部材７Ｌと一緒にヒートシンク６に連結されている。この連結状態で、連結部材９Ｒ，９Ｌの各々の支持部９２は、ヒートシンク６の放熱フィン６２よりも後方に延びている。
【００５０】
２つの固定部材１０は、図２に示すように、電源ボックス１８が固定される部分である。各固定部材１０は、例えば、左右方向に延びた棒状であり、金属板（例えばステンレス鋼板）で形成されている。２つの固定部材１０の各々の左右両端部は、上述のように、連結部材９Ｒ，９Ｌに連結されている。この連結状態で、２つの固定部材１０は、ヒートシンク６の後側に配置されている。また、２つの固定部材１０は、互いに上下方向に間隔を空けて配置されている。電源ボックス１８は、２つの固定部材１０の後側に配置されて、例えばねじによって、２つの固定部材１０に固定されている。なお、本実施形態では、固定部材１０の数は、２つであるが、１つであっても、３つ以上であってもよい。また、固定部材１０の形状は、棒状であるが、板状であってもよい。
【００５１】
アーム部材１１は、図２に示すように、スタジアム等における所定の設置場所に固定された状態で、２つの連結部材９のボス部９２ａに回転可能に連結される部分である。アーム部材１１は、金属（例えばステンレス鋼）で形成されている。アーム部材１１は、固定板１２と、２つのアーム片１３Ｌ，１３Ｒとを有する。すなわち、支持部材８は、固定板１２と、アーム片１３Ｌ，１３Ｒと、を備えている。固定板１２及び２つのアーム片１３Ｌ，１３Ｒは、一体に形成されている。
【００５２】
固定板１２は、スタジアム等における所定の設置場所に固定される部分である。固定板１２は、例えば矩形の板状に形成されている。固定板１２は、挿通孔１２ａと長孔１２ｂとを有する。挿通孔１２ａは、ねじを通すための円形状の孔である。長孔１２ｂは、ねじを通す孔であって、挿通孔１２ａを中心とする半円弧状の長孔である。挿通孔１２ａ及び長孔１２ｂの各々には、ねじが通って、それら各ねじは上記の所定の設置場所にねじ込まれる。これにより、固定板１２が上記の所定の設置場所に固定される。固定板１２は、挿通孔１２ａに通されたねじの周りに回転可能である。
【００５３】
２つのアーム片１３Ｌ，１３Ｒの各々は、例えば矩形の板状である。アーム片１３Ｌは、図１に示すように、固定板１２の左辺部から上方に曲がって延び、かつ前方に傾斜して延びている。アーム片１３Ｌの先端部は、例えばねじＮ８によって、連結部材９Ｌのボス部９２ａの中心孔を通って、照明ユニットＳＵ１の左側面（例えばヒートシンク６の左側面）に回転可能に連結されている。また、アーム片１３Ｒは、図２に示すように、他方のアーム片１３Ｌと左右対称な形に形成されている。すなわち、アーム片１３Ｒは、固定板１２の右辺部から上方に曲がって延び、かつ前方に傾斜して延びている。アーム片１３Ｒの先端部は、例えばねじＮ９によって、連結部材９Ｒのボス部９２ａの中心孔を通って、照明ユニットＳＵ１の右側面（例えばヒートシンク６の右側面）に回転可能に連結されている。ボス部９２ａの上記の中心孔は、回転軸線Ｇ１に同心状に設けられている。このように、各アーム片１３Ｌ，１３Ｒはそれぞれ、ねじＮ８，Ｎ９によって、各連結部材９Ｌ，９Ｒのボス部９２ａに回転軸線Ｇ１周りに回転可能に連結されている。
【００５４】
このように、各アーム片１３Ｌ，１３Ｒが各連結部材９Ｌ，９Ｒに連結された状態では、図５に示すように、各アーム片１３Ｌ，１３Ｒはそれぞれ、ヒートシンク６の左右両側（すなわち照明ユニットＳＵ１の左右両側）に配置されている。また、アーム片１３Ｌの両側の主面１３Ｌａ及びアーム片１３Ｒの両側の主面１３Ｒａは、照明ユニットＳＵ１の光軸Ｌ１が固定板１２に平行なときの光軸Ｌ１に平行である。したがって、光軸Ｌ１が固定板１２に平行なときの光軸Ｌ１に沿った方向から見ると（例えば照明装置１Ａの正面から見ると）、観測者からは、各アーム片１３Ｌ，１３Ｒは、それらの厚さＤ１，Ｄ２しか見えない。これにより、各アーム片１３Ｌ，１３Ｒの配置スペースは、照明ユニットＳＵ１の左右方向に関しては、各アーム片１３Ｌ，１３Ｒの厚さＤ１，Ｄ２分の大きさで足りるため、照明装置１Ａのコンパクト化に寄与できる。
【００５５】
目盛板１５は、図１に示すように、照明ユニットＳＵ１における回転軸線Ｇ１周りの傾斜角度を示す部材である。目盛板１５は、金属板（例えばステンレス鋼板）で形成されている。目盛板１５は、円盤状に形成されている。目盛板１５は、２つのアーム片１３Ｌ，１３Ｒのうちの一方（図示例ではアーム片１３Ｌ）に取り付けられる。目盛板１５は、ねじＮ８を中心とする角度の目盛が刻印されている。これにより、照明装置１Ａでは、照明ユニットＳＵ１の傾きを精度良く調節することが可能である。
【００５６】
電源ボックス１８は、外部電源（例えば商用電源）から供給された交流電力から、照明装置１Ａ用の直流電力を生成する装置である。電源ボックス１８は、図２及び図６に示すように、例えば２つのＡＣ−ＤＣコンバータ１８２，１８３（電源回路）と、筐体１８ａと、を備えている。一方のＡＣ−ＤＣコンバータ１８２は、例えば、外部電源から供給される交流電流から、照明ユニットＳＵ１の上段２つの光源ユニット２で用いる直流電力を生成する。他方のＡＣ−ＤＣコンバータ１８３は、例えば、外部電源から供給される交流電流から、照明ユニットＳＵ１の下段２つの光源ユニット２で用いる直流電力を生成する。筐体１８ａは、２つのＡＣ−ＤＣコンバータ１８２，１８３を収容する。筐体１８ａは、例えば略直方体形（例えば偏平な略直方体形）に形成されている。筐体１８ａの後面１８ｂの左右両縁部は、例えば、筐体１８ａの前側に傾斜している。
【００５７】
筐体１８ａは、筒状の本体部１８ｍと、２つの蓋部１８ｃ，１８ｄとを有する。本体部１８ｍは、上面及び下面が開口した筒状である。上側の蓋部１８ｃは、本体部１８ｍの上面開口を塞ぐための蓋部であり、例えば平板状である。上側の蓋部１８ｃは、ねじによって、本体部１８ｍの上面開口の周縁部に固定される。下側の蓋部１８ｄは、本体部１８ｍの下面開口を塞ぐための蓋部であり、例えば平板状である。下側の蓋部１８ｄは、ねじによって、本体部１８ｍの下面開口の周縁部に固定される。
【００５８】
２つのＡＣ−ＤＣコンバータ１８２，１８３は、筐体内１８ａにおいて、例えば上下方向に並べて収容されている。電源ボックス１８は、ねじ等によって、支持部材８の２つの固定部材１０に固定されている。すなわち、電源ボックス１８は、ヒートシンク６の後側に配置されている。この状態では、図６に示すように、照明ユニットＳＵ１の後面６１ｋ（すなわちヒートシンク６の後面６１ｋ）側から見て、電源ボックス１８は、照明ユニットＳＵ１の後面（すなわちヒートシンク６の後面）６１ｋの範囲内に配置されている。なお、ヒートシンク６の後面６１ｋは、ヒートシンク６において、複数の光源ユニット２が設けられる前面６１ｓとは反対側の面（すなわちベース部６１の後面）である。
【００５９】
換言すれば、４つの光源ユニット２と電源ボックス１８との間に、ヒートシンク６が配置されている。そして、ヒートシンク６における電源ボックス１８の側から見て、電源ボックス１８は、ヒートシンク６の輪郭の範囲内に配置されている。
【００６０】
結線ボックス１９は、照明ユニットＳＵ１の光源ユニット２と電気的に接続された電源ケーブル（電線）と、電源ボックス１８のＡＣ−ＤＣコンバータ１８２，１８３（電源回路）に電気的に接続された電源ケーブル（電線）とを互いに電気的に接続する。すなわち、電源ボックス１８の一方のＡＣ−ＤＣコンバータ１８２で生成された直流電力は、電源ケーブルを介して照明ユニットＳＵ１の上段の２つの光源ユニット２に供給される。また、電源ボックス１８の他方のＡＣ−ＤＣコンバータ１８３で生成された直流電力は、電源ケーブルを介して照明ユニットＳＵ１の下段の２つの光源ユニット２に供給される。
【００６１】
結線ボックス１９は、図２及び図６に示すように、端子台及びケーブル保持部と、筐体１９ａと、を備えている。筐体１９ａは、上記の端子台及びケーブル保持部を収容する。筐体１９ａは、例えば直方体形（例えば偏平な直方体形）に形成されている。結線ボックス１９は、ねじ等によって、電源ボックス１８の後面１８ｂに固定されている。この固定状態では、照明ユニットＳＵ１の後面６１ｋ側から見て、結線ボックス１９は、照明ユニットＳＵ１の後面６１ｋ（すなわちヒートシンク６の後面６１ｋ）の範囲内に配置されている。また、結線ボックス１９は、電源ボックス１８の後面１８ｂの範囲内に配置されている。
【００６２】
換言すれば、ヒートシンク６と結線ボックス１９との間に、電源ボックス１８が配置されている。そして、ヒートシンク６における結線ボックス１９の側から見て、結線ボックス１９は、ヒートシンク６の輪郭の範囲内に配置されている。また、結線ボックス１９は、電源ボックス１８の輪郭の範囲内に配置されている。
【００６３】
この照明装置１Ａでは、各光源ユニット２で発生した熱は、各光源ユニット２とヒートシンク６との接触面からヒートシンク６に伝達する。ヒートシンク６に伝達した熱の一部は、近くの放熱フィン６２から外気に放熱される。また、ヒートシンク６に伝達した熱の残りは、ヒートシンク６全体にわたって拡散して平均化される。ヒートシンク６は、４つの光源ユニット２にわたって一体化されているため、ヒートシンク６によって、熱をより広い範囲にわたって拡散して平均化できる。特に、ヒートシンク６は、上下方向に並んだ光源ユニット２Ａ，２Ｂ（２Ｃ，２Ｄ）にわたって一体化されているため、ヒートシンク６に伝達した熱を上下方向に沿って効果的に拡散可能である。このように熱が拡散することで、各光源ユニット２で発生した熱が局所化して高熱が発生することを抑制できる。また、各光源ユニット２で発生した熱を、ヒートシンク６の複数の放熱フィン６２から効率的に放熱できる。この結果、照明装置１Ａの放熱効果を向上できる。
【００６４】
（実施形態１の変形例）
本実施形態では、ヒートシンク６は、４つ（すなわち全て）の光源ユニット２にわたって配置されたが、４つの光源ユニット２にわたって配置されることに限定されない。例えば、ヒートシンク６は、図７Ａに示すように、上下方向に並んだ光源ユニット２Ａ，２Ｂにわたって配置され、更に、上下方向に並んだ光源ユニット２Ｃ，２Ｄにわたって配置されてもよい。この場合、ヒートシンク６は、左右方向に並んだ光源ユニット２Ａ，２Ｃにわたっては配置されず、また、左右方向に並んだ光源ユニット２Ｂ，２Ｄにわたっては配置されていない。この場合のヒートシンク６は、ヒートシンク６ａｂとヒートシンク６ｃｄとで構成されている。ヒートシンク６ａｂは、各光源ユニット２Ａ，２Ｂにわたって配置されたヒートシンクである。ヒートシンク６ｃｄは、各光源ユニット２Ｃ，２Ｄにわたって配置されたヒートシンクである。各ヒートシンク６ａｂ，６ｃｄはそれぞれ、ベース部６１ｐと複数枚の放熱フィン６２ｐとを備えている。
【００６５】
また、ヒートシンク６は、図７Ｂに示すように、左右方向に並んだ光源ユニット２Ａ，２Ｃにわたって配置され、更に、左右方向に並んだ光源ユニット２Ｂ，２Ｄにわたって配置されてもよい。この場合、ヒートシンク６は、上下方向に並んだ光源ユニット２Ａ，２Ｂにわたっては配置されず、また、上下方向に並んだ光源ユニット２Ｃ，２Ｄにわたっては配置されていない。この場合のヒートシンク６は、ヒートシンク６ａｃとヒートシンク６ｂｄとで構成されている。ヒートシンク６ａｃは、各光源ユニット２Ａ，２Ｃにわたって配置されたヒートシンクである。ヒートシンク６ｂｄは、各光源ユニット２Ｂ，２Ｄにわたって配置されたヒートシンクである。各ヒートシンク６ａｃ，６ｂｄはそれぞれ、ベース部６１ｑと複数枚の放熱フィン６２ｑとを備えている。
【００６６】
上記の例では、ヒートシンク６は、２つのヒートシンクで構成されたが、ヒートシンク６は、３つ以上のヒートシンクで構成されてもよい。このように、ヒートシンク６が複数のヒートシンクで構成される場合は、複数のヒートシンクは、保持部材７によって連結されてもよい。この場合、保持部材７は、複数のヒートシンクを連結するために、照明ユニットＳＵ１の左右両側のみならず、更に、照明ユニットＳＵ１の上側又は下側に配置されてもよい。
【００６７】
また、本実施形態では、光源ユニット２の数は４つであったが、光源ユニット２の数は、４つに限定されず、２つ以上であればよい。
【００６８】
また、本実施形態では、２つの連結部材９Ｌ，９Ｒはそれぞれ、対応する保持部材７Ｌ，７Ｒと一緒にヒートシンク６に固定されたが、支持部材８とヒートシンク６との連結の仕方は、このように限定されない。例えば、２つの連結部材９Ｌ，９Ｒは、ヒートシンク６に直接連結されてもよい。この場合、保持部材７Ｌ，７Ｒは省略される。
【００６９】
また、本実施形態では、複数の光源ユニット２の配列において、上下方向に光源ユニット２が２つ並び、左右方向に光源ユニット２が２つ並んだが、複数の光源ユニット２の配列はこのように限定されない。例えば、複数の光源ユニット２の配列は、上下方向に光源ユニット２が１つ又は３つ以上並んでもよいし、左右方向に光源ユニット２が１つ又は３つ以上並んでもよい。ただし、上下方向に光源ユニット２が１つ、左右方向に光源ユニット２が１つとなる場合は除く。
【００７０】
また、本実施形態では、保持部材７は、２つの保持部材７Ｌ，７Ｒで構成されたが、保持部材７の形態は、このように限定されない。例えば、保持部材７は、照明ユニットＳＵ１の周囲を囲む枠状であってもよい。
【００７１】
（他の実施形態）
実施形態１は、本開示の様々な実施形態の一つに過ぎない。実施形態１は、本開示の目的を達成できれば、設計等に応じて種々の変更が可能である。以下、他の実施形態を列挙する。以下に説明する他の実施形態は、適宜組み合わせて適用可能である。以下に説明する他の実施形態では、実施形態１と異なる点を中心に説明する。また、以下の他の実施形態では、実施形態１と同じ部分については、同じ符号を付して説明を省略する場合がある。
【００７２】
（実施形態２）
本実施形態に係る照明装置１Ｂは、図８及び図９に示すように、実施形態１の照明装置１Ａにおいて、照明ユニットＳＵ１の上側に照明ユニットＳＵ２を追加した装置である。照明ユニットＳＵ２の光軸Ｌ２は、照明ユニットＳＵ１の光軸Ｌ１と平行になるように固定されている。すなわち、照明ユニットＳＵ２は、照明ユニットＳＵ１に対して相対的に可動できないように固定されている。
【００７３】
より詳細には、照明装置１Ｂは、図８及び図９に示すように、照明ユニットＳＵ３と、支持部材８と、電源ボックス１８と、結線ボックス１９と、落下防止ワイヤー２０と、を備えている。照明ユニットＳＵ３は、照明ユニットＳＵ１と、照明ユニットＳＵ２と、２つの連結部材１１０と、を備えている。すなわち、照明装置１Ｂは、実施形態１の照明装置１Ａにおいて、保持部材７が省略され、２つの連結部材１１０、照明ユニットＳＵ２及び落下防止ワイヤー２０が追加された装置である。なお、２つの連結部材１１０は、照明ユニットＳＵ１，ＳＵ２を互いに連結する部材である。落下防止ワイヤー２０は、照明ユニットＳＵ３の落下を防止するワイヤーである。
【００７４】
照明ユニットＳＵ１は、実施形態１の照明ユニットＳＵ１と同様に構成されている。
【００７５】
照明ユニットＳＵ２は、実施形態１の照明ユニットＳＵ１（すなわち４つの光源ユニット２が上下二段に並べられた照明ユニット）のうちの上半部分（又は下半部分）に相当する照明ユニットである。照明ユニットＳＵ２は、２つの光源ユニット２と、１つのカバー３と、１つの防水パッキン４と、１つの押え部材５と、ヒートシンク１００とを備えている。
【００７６】
照明ユニットＳＵ２の各光源ユニット２は、実施形態１の光源ユニット２と同様に構成されている。照明ユニットＳＵ２の各光源ユニット２は、ヒートシンク１００の前面１０１ｓにおいて、左右方向に並んで固定されている。照明ユニットＳＵ２のカバー３、防水パッキン４及び押え部材５はそれぞれ、実施形態１のカバー３、防水パッキン４及び防水パッキン４と同様に構成されて、ヒートシンク１００に固定されている。照明ユニットＳＵ２のカバー３は、２つの光源ユニット２を覆うように、ヒートシンク１００の前面１０１ｓに固定されている。
【００７７】
ヒートシンク１００は、実施形態１のヒートシンク６の上下方向の長さを半分にしたヒートシンクである。ヒートシンク１００（第２ヒートシンク）は、照明ユニットＳＵ２（第２照明ユニット）の２つの光源ユニット２（第２光源ユニット）にわたって配置されている。より詳細には、ヒートシンク１００は、ベース部１０１と、複数枚の放熱フィン１０２とを備えている。ベース部１０１は、横長矩形の板状である。ベース部１０１の前面１０１ｓは、１つのカバー３が配置可能な大きさの矩形状である。ベース部１０１の前面１０１ｓは、照明ユニットＳＵ２の前面である。複数枚の放熱フィン１０２は、実施形態１の放熱フィン６２と同じように、ヒートシンク１００の後面（すなわちベース部１０１の後面）１０１ｋ（図１０参照）に設けられている。
【００７８】
照明ユニットＳＵ２は、照明ユニットＳＵ１の上側に空間１２０を空けて配置されている。この配置状態では、各照明ユニットＳＵ１，ＳＵ２の前面６１ｓ，１０１ｓは、互いに平行である。更に、照明ユニットＳＵ１の正面から見て、照明ユニットＳＵ２の前面１０１ｓは、照明ユニットＳＵ１の前面６１ｓの上側に空間１２０を空けて配置されている。また、上記の配置状態では、照明ユニットＳＵ２の２つの光源ユニット２（第２光源ユニット）のうち、右側の光源ユニット２Ｒは、照明ユニットＳＵ１の上段右側の光源ユニット２Ｃ（第１光源ユニット）の上方に間隔１２０を空けて配置されている。左側の光源ユニット２Ｌ（第２光源ユニット）は、照明ユニットＳＵ１の上段左側の光源ユニット２Ａ（第１光源ユニット）の上方に間隔１２０を空けて配置されている。ヒートシンク１００（第２ヒートシンク）は、照明ユニットＳＵ１のヒートシンク６（第１ヒートシンク）の上方に空間１２０を空けて配置されている。各照明ユニットＳＵ１，ＳＵ２の間の空間１２０によって、通気路が形成されている。以下、通気路１２０とも記載する。
【００７９】
なお、照明ユニットＳＵ１，ＳＵ２の間隔１２０の上下方向の幅は、例えば２２ｍｍである。この場合、照明ユニットＳＵ１の上下方向の長さは、例えば２０５ｍｍであり、照明ユニットＳＵ２の上下方向の長さは、例えば１９９ｍｍである。
【００８０】
なお、照明ユニットＳＵ１，ＳＵ２の間の空間１２０の上下方向の幅は、照明ユニットＳＵ１における隣合う２つのカバー３の間の間隔（例えば２０ｍｍ以下の間隔）よりも大きい。換言すれば、照明ユニットＳＵ１における隣合う２つのカバー３の間の間隔は、空間１２０の上下方向の幅よりも小さい。
【００８１】
２つの連結部材１１０は、上述のように照明ユニットＳＵ１，ＳＵ２が配置するように、照明ユニットＳＵ１，ＳＵ２を互いに連結する部材である。２つの連結部材１１０のうち、一方の連結部材１１０Ｒは、照明ユニットＳＵ３の右側に配置されて、各照明ユニットＳＵ１，ＳＵ２に跨って連結されている（図８参照）。他方の連結部材１１０Ｌは、照明ユニットＳＵ３の左側に配置されて、各照明ユニットＳＵ１，ＳＵ２に跨って連結されている（図９参照）。各連結部材１１０Ｒ，１１０Ｌは、互いに左右対称に形成されている。すなわち、２つの連結部材１１０Ｌ，１１０Ｒは、照明ユニットＳＵ１，ＳＵ２の各々の側方に配置されて、各照明ユニットＳＵ１，ＳＵ２を互いに連結している。なお、上記の「側方」とは、照明ユニットＳＵ１における光源ユニット２が設けられた面（すなわち前面）６１ｓにおいて、照明ユニットＳＵ１，ＳＵ２が並ぶ方向（すなわち上下方向）に直交する方向（すなわち左右方向）である。
【００８２】
各連結部材１１０Ｒ，１１０Ｌはそれぞれ、図８及び図９に示すように、基板部１１１と、前側板部１１２と、後側板部１１３とを有する。基板部１１１は、上下方向に延びた板状であり、中央部１１１ａと、上側部１１１ｂと、下側部１１１ｃとを有する。中央部１１１ａは、基板部１１１における長手方向（上下方向）の中央部分である。中央部１１１ａは、上側部１１１ｂ及び下側部１１１ｃよりも前方に幅広である。上側部１１１ｂは、基板部１１１における中央部１１１ａよりも上側の部分である。下側部１１１ｃは、基板部１１１における中央部１１１ａよりも下側の部分である。前側板部１１２は、中央部１１１ａの前辺部に設けられ、各連結部材１１０Ｌ，１１０Ｒの対向方向に突出している。後側板部１１３は、基板部１１１の後辺部に設けられ、前側板部１１２と同じ側に突出している。
【００８３】
各連結部材１１０Ｒ，１１０Ｌはそれぞれ、基板部１１１及び後側板部１１３に複数のねじ挿通孔を有する。図８〜図１０に示すように、各ねじＮ１０が、基板部１１１の上記のねじ挿通孔を通って、各ヒートシンク６，１００のねじ孔にねじ込まれている。また、図１０に示すように、各ねじＮ１１が、後側板部１１３の上記のねじ挿通孔を通って、各ヒートシンク６，１００のねじ孔にねじ込まれている。このように、２つの連結部材１１０Ｒ，１１０Ｌは、各ヒートシンク６，１００の各々の側方に配置されて、各ヒートシンク６，１００を互いに連結している。また、このように、連結部材１１０Ｌ，１１０Ｒがヒートシンク６，１００に対して、ねじＮ１０，Ｎ１１で、２方向（基板部１１１側と後側板部１１３側の２方向）からねじ止めされている。このため、連結部材１１０Ｌ，１１０Ｒとヒートシンク６，１００とを、安定して強固に連結できる。なお、さらに、前側板部１１２側から連結部材１１０Ｌ，１１０Ｒとヒートシンク６，１００とをねじでねじ止めすることで、３方向からねじ止めしてもよい。
【００８４】
一方の連結部材１１０Ｒは、図８に示すように、上下方向に沿って、照明ユニットＳＵ１のベース部６１の右端部６１Ｒと、照明ユニットＳＵ２のベース部１０１の右端部１０１Ｒとに跨って連結されている。この連結状態で、一方の連結部材１１０Ｒの中央部１１１ａは、各照明ユニットＳＵ１，ＳＵ２の間の空間１２０の右側に配置されている。一方の連結部材１１０Ｒの前側板部１１２は、各照明ユニットＳＵ１，ＳＵ２の前側から、上下方向に沿って、照明ユニットＳＵ１の押え部材５Ａの右部と、照明ユニットＳＵ２の押え部材５の右部とに跨って配置されている。一方の連結部材１１０Ｒの後側板部１１３は、図１０に示すように、各照明ユニットＳＵ１，ＳＵ２の後側から、上下方向に沿って、照明ユニットＳＵ１の後面６１ｋの右縁部と、照明ユニットＳＵ２の後面１０１ｋの右縁部とに跨って配置されている。
【００８５】
他方の連結部材１１０Ｌは、図９に示すように、上下方向に沿って、照明ユニットＳＵ１のベース部６１の左端部６１Ｌと、照明ユニットＳＵ２のベース部１０１の左端部１０１Ｌとに跨って連結されている。この連結状態で、他方の連結部材１１０Ｌの中央部１１１ａは、照明ユニットＳＵ１の左端部６１Ｌの略上半部分に配置されている。すなわち、他方の連結部材１１０Ｌは、一方の連結部材１１０Ｒよりも下方にずれて配置されている。他方の連結部材１１０Ｌの前側板部１１２は、照明ユニットＳＵ１の前側から、照明ユニットＳＵ１の押え部材５Ａの左部に配置されている。他方の連結部材１１０Ｌの後側板部１１３は、図１０に示すように、各照明ユニットＳＵ１，ＳＵ２の後側から、上下方向に沿って、照明ユニットＳＵ１の後面６１ｋの左縁部と、照明ユニットＳＵ２の後面１０１ｋの左縁部とに跨って配置されている。
【００８６】
このように、連結部材１１０Ｒの前側板部１１２は、各照明ユニットＳＵ１，ＳＵ２の前側に配置され、各連結部材１１０Ｒ，１１０Ｌの後側板部１１３は、各照明ユニットＳＵ１，ＳＵ２の後側に配置されている。このように、連結部材１１０Ｒ，１１０Ｌが形成されることで、構造的に、各照明ユニットＳＵ１，ＳＵ２のベース部６１，１０１が、互いに平行な状態に固定されている。この結果、各照明ユニットＳＵ１，ＳＵ２の光軸Ｌ１，Ｌ２が、互いに平行な状態に固定されている。すなわち、照明ユニットＳＵ２は、照明ユニットＳＵ１に対して可動できないように固定されている。
【００８７】
なお、本実施形態では、２つの連結部材１１０Ｌ，１１０Ｒは、上述のように、互いに上下方向にずれて配置されているが、互いに上下方向にずれないで配置されてもよい。その場合は、２つの連結部材１１０Ｌ，１１０Ｒの中央部１１１ａはそれぞれ、空間１２０の左右両側に配置されてもよいし、照明ユニットＳＵ１の上半部分の左右両側に配置されてもよい。
【００８８】
本実施形態の支持部材８は、図８及び図９に示すように、実施形態１の支持部材８と同様に構成されている。実施形態１の支持部材８の各アーム片１３Ｌ，１３Ｒは、ねじＮ１，Ｎ２によって、対応する保持部材７Ｌ，７Ｒと一緒にヒートシンク６に固定された。これに対し、本実施形態の支持部材８の各アーム片１３Ｌ，１３Ｒは、各連結部材１１０Ｌ，１１０Ｒと一体一に対応し、ねじＮ１０，Ｎ１１によって、対応する連結部材１１０Ｌ，１１０Ｒと一緒にヒートシンク６に固定されている。
【００８９】
本実施形態の各アーム片１３Ｒ，１３Ｌはそれぞれ、図８及び図９に示すように、落下防止ワイヤー２０が通る貫通孔１３ｐ，１３ｑを有する。落下防止ワイヤー２０の右端部は、図８に示すように、例えば、アーム片１３Ｒの貫通孔１３ｐを通ってアーム片１３Ｒの内側から外側に引き出されて、連結部材９Ｒの台部９１を介して照明ユニットＳＵ３の右側面に固定されている。落下防止ワイヤー２０の左端部は、図９に示すように、アーム片１３Ｌの貫通孔１３ｑを通ってアーム片１３Ｌの内側から外側に引き出されて、連結部材９Ｌの台部９１を介して照明ユニットＳＵ３の左側面に固定されている。これにより、照明ユニットＳＵ３は、各アーム片１３Ｌ，１３Ｒとの連結が外れても、落下防止ワイヤー２０によって支持部材８に繋ぎ止められる。これにより、照明ユニットＳＵ３の落下が防止される。
【００９０】
本実施形態の２つの連結部材９Ｌ，９Ｒは、図８及び図９に示すように、照明ユニットＳＵ１の略上半部分の左右両側に配置されている。換言すれば、２つの連結部材９Ｌ，９Ｒは、照明装置１Ｂの上下方向の中央部分（すなわち照明ユニットＳＵ３の上下方向の中央部分）の左右両側に配置されている。
【００９１】
電源ボックス１８は、図１０に示すように、筐体１８ａの大きさ及びＡＣ−ＤＣコンバータの個数が異なる以外は、実施形態１の電源ボックス１８と同様に構成されている。本実施形態の電源ボックス１８は、３つのＡＣ−ＤＣコンバータ１８１，１８２，１８３と、筐体１８ａと、を備えている。ＡＣ−ＤＣコンバータ１８１は、外部電源から供給される交流電流から、照明ユニットＳＵ２の２つの光源ユニット２で用いる直流電力を生成する。ＡＣ−ＤＣコンバータ１８２は、外部電源から供給される交流電流から、照明ユニットＳＵ１の上段２つの光源ユニット２で用いる直流電力を生成する。ＡＣ−ＤＣコンバータ１８３は、照明ユニットＳＵ１の下段２つの光源ユニット２で用いる直流電力を生成する。３つのＡＣ−ＤＣコンバータ１８１，１８２，１８３は、筐体１８ａ内において、上下方向に並べて収容されている。本実施形態の筐体１８ａは、実施形態１の筐体１８ａと比べて、収容するＡＣ−ＤＣコンバータ１８１，１８２，１８３の数が多い分、上下方向に長く形成されている。
【００９２】
電源ボックス１８は、実施形態１の電源ボックス１８と同様に、支持部材８の２つの固定部材１０にねじで固定されている。この固定状態では、照明ユニットＳＵ３の後側から見て、電源ボックス１８は、各照明ユニットＳＵ１，ＳＵ２の後面６１ｋ，１１０ｋを合わせた全範囲の範囲（すなわち照明ユニットＳＵ３の輪郭の範囲）内に配置されている。電源ボックス１８は、各照明ユニットＳＵ１，ＳＵ２の後面６１ｋ，１１０ｋに跨って配置されている。照明ユニットＳＵ１の後面６１ｋとは、ベース部６１の後面であり、照明ユニットＳＵ２の後面１１０ｋとは、ベース部１０１の後面である。
【００９３】
結線ボックス１９は、実施形態１の結線ボックス１９と同様に構成されている。結線ボックス１９は、実施形態１の結線ボックス１９と同様に、電源ボックス１８の筐体１８ａの後面１８ｂにねじで固定されている。この固定状態では、照明ユニットＳＵ３の後側から見て、結線ボックス１９は、電源ボックス１８の後面１８ｂの範囲内に配置されている。
【００９４】
図１０を参照して、この照明装置１Ｂの放熱による対流の流れを説明する。照明装置１Ｂの光軸Ｌ１，Ｌ２が水平又は前方斜め下方向である場合（図１０では水平の場合で図示）、各照明ユニットＳＵ１，ＳＵ２で発生した熱は、各照明ユニットＳＵ１，ＳＵ２のヒートシンク６，１００を伝達して上昇する。また、各照明ユニットＳＵ１，ＳＵ２で発生した熱は、各照明ユニットＳＵ１，ＳＵ２の放熱フィン６２，１０２から放熱される。この放熱によって、放熱フィン６２，１０２の周辺の空気が加熱され、その加熱された空気によって、上昇する対流Ｔ１，Ｔ２が形成される。照明装置１Ｂでは、各照明ユニットＳＵ１，ＳＵ２間に、空間（通気路）１２０が設けられている。このため、照明ユニットＳＵ１で発生した対流Ｔ１が通気路１２０を横切って上昇すると、照明ユニットＳＵ３の前側に在る空気が、通気路１２０を通って照明ユニットＳＵ３の前側から後側に流れ込む。そして、その流れ込んだ空気によって、対流Ｔ１が冷却される。これにより、照明ユニットＳＵ２が対流Ｔ１によって加熱されることを抑制できる。また、通気路１２０によって、ヒートシンク６内の熱がヒートシンク１００に伝わることを抑制できる。これにより、照明ユニットＳＵ２が、照明ユニットＳＵ１で発生した熱によって加熱されることも抑制できる。
【００９５】
すなわち、照明装置１Ｂで発生した熱及び対流Ｔ１，Ｔ２は上昇するため、照明装置１Ｂの上側ほど熱が集中し易い。しかし、照明装置１Ｂでは、各照明ユニットＳＵ１，ＳＵ２の間に空間（通気路）１２０が設けられている。このため、照明ユニットＳＵ２が照明ユニットＳＵ１の上側が配置されても、照明ユニットＳＵ２が、照明ユニットＳＵ１で発生した熱及び対流Ｔ１で加熱されることを抑制できる。
【００９６】
なお、この実施形態では、照明ユニットＳＵ２の光源ユニット２の数は、２つであるが、１つでも３つ以上でもよい。また、この実施形態では、ヒートシンク１００は、２つの光源ユニット２にわたって一体化されているが、複数に分割されてもよい。
【００９７】
（実施形態２の変形例）
実施形態２において、図１１に示すように、照明ユニットＳＵ１のヒートシンク６の放熱フィン６２（第１放熱フィン）の高さＷ１は、照明ユニットＳＵ２のヒートシンク１００の放熱フィン１０２（第２放熱フィン）の高さＷ２と異なってもよい。放熱フィン６２の高さＷ１とは、ベース部６１（第１ベース部）からの放熱フィン６２の高さである。放熱フィン１０２の高さＷ２とは、ベース部１０１（第１ベース部）からの放熱フィン１０２の高さである。図１１では、一例として、放熱フィン６２の高さＷ１は、放熱フィン１０２の高さＷ２よりも小さく形成されている。
【００９８】
この変形例によれば、各放熱フィン６２，１０２のベース部６１，１０１に沿った熱拡散性能を異ならせることができる。例えば図１１のように、放熱フィン６２の高さＷ１を、放熱フィン１０２の高さＷ２よりも短くすることで、ヒートシンク６では、ヒートシンク１００よりも、ベース部１６に沿った方向に熱が拡散し易くなる。この結果、ヒートシンク６は、ヒートシンク１００よりも、ベース部に沿った熱拡散性能を向上できる。
【００９９】
（実施形態３）
本実施形態に係る照明装置１Ｃは、図１２及び図１３に示すように、実施形態２に係る照明装置１Ｂにおいて、照明ユニットＳＵ２（第２照明ユニット）が照明ユニットＳＵ１（第１照明ユニット）と独立して可動可能に構成された装置である。すなわち、照明ユニットＳＵ２は、連結部材１１０に対して可動可能に連結されている。本実施形態では、照明ユニットＳＵ２は、上記の「可動可能」の一例として、連結部材１１０に対して回転軸線Ｇ２周りに回転可能に連結されている。回転軸線Ｇ２は、照明ユニットＳＵ２の左右方向に延びた軸線である。更に、回転軸線Ｇ２は、例えば、照明ユニットＳＵ２の重心（すなわち質量中心）を通った軸線である。
【０１００】
このように、照明ユニットＳＵ２が連結部材１１０に対して回転可能に連結されることで、照明ユニットＳＵ２のヒートシンク１００の向きが、照明ユニットＳＵ１のヒートシンク６の向きと独立して可動可能である。この結果、ヒートシンク６の放熱性を損なうことなく、ヒートシンク１００の向きを変更することでヒートシンク６の放熱性を調整可能である。
【０１０１】
本実施形態では、図１２及び図１３に示すように、各連結部材１１０Ｒ，１１０Ｌの上端部は、照明ユニットＳＵ３の左右両側面において、回転軸線Ｇ２周りに回転可能に連結されている。より詳細には、各連結部材１１０Ｒ，１１０Ｌの上端部は、例えば、照明ユニットＳＵ２のベース部１０１の右端部１０１Ｒ及び左端部１０１Ｌの各々の上下方向の所定箇所（例えば中心）に回転可能に連結されている。更に詳細には、２つの連結部材１１０Ｒ，１１０Ｌは、それらの上端部に、ねじ挿入孔を有する。照明ユニットＳＵ２のベース部１０１は、その右端部１０１Ｒ及び左端部１０１Ｌの各々の上下方向の中心に、ねじ孔を有する。ねじＮ６が、一方の連結部材１１０Ｒの上記のねじ挿通孔を通って、照明ユニットＳＵ２の右端部１０１Ｒの上記のねじ孔にねじ込まれている。同様に、ねじＮ７が、他方の連結部材１１０Ｌの上記のねじ挿通孔を通って、照明ユニットＳＵ２の左端部１０１Ｌの上記のねじ孔にねじ込まれている。各ねじＮ６，Ｎ７によって、照明ユニットＳＵ２は、２つの連結部材１１０Ｒ，１１０Ｌの上端部に回転軸線Ｇ２周りに回転可能に連結されている。
【０１０２】
なお、本実施形態では、各連結部材１１０Ｒ，１１０Ｌの上側部１１１ｂの後辺部には、照明ユニットＳＵ２の回転軸線Ｇ２周りの回転を妨げないように、後側板部１１３が省略されている（図１４参照）。
【０１０３】
また、本実施形態では、支持部材８の各連結部材９Ｒ，９Ｌは、照明ユニットＳＵ１の上下方向の中央部分の左右両側に連結されている。
【０１０４】
また、本実施形態の電源ボックス１８は、実施形態２と同様に、支持部材８の２つの固定部材１０にねじ等で固定されている。すなわち、電源ボックス１８は、ヒートシンク６の後側に配置されている。本実施形態では、電源ボックス１８が固定部材１０に固定された状態では、ヒートシンク６の後側から見て、電源ボックス１８は、ヒートシンク６の後面６１ｋの範囲内に配置されている。換言すれば、照明ユニットＳＵ１の４つの光源ユニット２と電源ボックス１８との間に、ヒートシンク６が配置されている。そして、ヒートシンク６における電源ボックス１８の側から見て、電源ボックス１８は、ヒートシンク６の輪郭の範囲内に配置されている。このように、電源ボックス１８は、２つのヒートシンク６，１００のうち、ヒートシンク６の後側に配置されている。このため、電源ボックス１８を安定して照明装置１Ｃに設けることができ、また、ヒートシンク１００の後側に配置される場合よりもメンテナンスが容易である。
【０１０５】
なお、この実施形態では、照明ユニットＳＵ２は、左右方向に延びた回転軸線Ｇ２周りに回転可能であったが、照明ユニットＳＵ２は、上下方向に延びた回転軸線周り、又は／及び、前後方向に延びた回転軸線周りに回転可能であってもよい。また、照明ユニットＳＵ２は、連結部材１１０Ｌ，１１０Ｒに対して回転可能に連結されたが、回転以外の可動方法で連結部材１１０Ｌ，１１０Ｒに連結されてもよい。例えば、照明ユニットＳＵ２は、前後方向、左右方向、又は／及び、上下方向に並進可能に連結部材１１０Ｌ，１１０Ｒに連結されてもよい。
【０１０６】
（実施形態４）
図１５〜図２１を参照して、本実施形態に係る照明装置１Ｄについて説明する。本実施形態に係る照明装置１Ｄは、実施形態２と比べて、互いに別体である３つの照明ユニットＳＵ２を備え、それら３つの照明ユニットＳＵ２が連結部材１５０，９で連結されている点が異なる。また、本実施形態に係る照明装置１Ｄは、実施形態２と比べて、照明ユニットＳＵ２の落下を防止する落下防止部材１７０が設けられている点が異なる。また、本実施形態に係る照明装置１Ｄは、実施形態２と比べて、電源ボックス１８の筐体構造が異なる点が異なる。
【０１０７】
以下、本実施形態に係る照明装置１Ｄについて詳しく説明する。なお、以下の説明では、実施形態２と同じ部分については同じ符号を付して説明を省略する場合がある。
【０１０８】
本実施形態に係る照明装置１Ｄは、図１５〜図２０に示すように、３つの照明ユニットＳＵ２と、一対の連結部材１５０と、落下防止部材１７０と、支持部材８と、電源ボックス１８と、結線ボックス１９とを備えている。本実施形態の結線ボックス１９は、実施形態２の結線ボックス１９と実質的に同じ構成であるため、詳細な説明は省略する。
【０１０９】
３つの照明ユニットＳＵ２は、実施形態２の照明ユニットＳＵ２と同じ構成である。３つの照明ユニットＳＵ２は、上下方向に並んだ状態で、一対の連結部材１５０及び支持部材８によって互いに連結されている。より詳細には、後述のように、一対の連結部材１５０（第１連結部材）によって、上段及び中段の照明ユニットＳＵ２が互いに連結され、一対の連結部材９（第２連結部材）によって中段及び下段の照明ユニットＳＵ２が互いに連結されている。以下、３つの照明ユニットＳＵ２を上から順に、上段の照明ユニットＳＵ２（第２照明ユニット）、中段の照明ユニットＳＵ２（第４照明ユニット）及び下段の照明ユニットＳＵ２（第３照明ユニット）と記載する場合がある。
【０１１０】
照明ユニットＳＵ２のベース部１０１の左端部１０１Ｌ及び右端部１０１Ｒは、ベース部１０１の後方に突出している。左端部１０１Ｌ及び右端部１０１Ｒは、照明ユニットＳＵ２の横幅方向（左右方向）の端部である。すなわち、ベース部１０１は、ベース本体１０１Ｈと、左端部１０１Ｌ及び右端部１０１Ｒとを有する。ベース本体１０１Ｈは、例えば矩形の板状である。左端部１０Ｌは、ベース本体１０１Ｈの左辺から後方に突出し、右端部１０１Ｒは、ベース本体１０１Ｈの右辺から後方に突出している。
【０１１１】
左端部１０１Ｌは、上下２組の貫通孔１０３（１０３ａ，１０３ｂ）を有する。各貫通孔１０３は、開口面が円形である丸孔である。各貫通孔１０３は、左端部１０１Ｌを左右方向に貫通している。貫通孔１０３の各組はそれぞれ、複数（ここでは３つ）の貫通孔１０３を含む。上側の組の貫通孔１０３ａは、左端部１０１Ｌにおける長手方向（上下方向）の略上半分において、左端部１０１Ｌの長手方向に並んで設けられている。下側の組の貫通孔１０３ｂは、左端部１０１Ｌにおける長手方向の略下半分において、左端部１０１Ｌの長手方向に並んで設けられている。右端部１０１Ｒも、左端部１０１Ｌと同様に、上下２組の貫通孔１０３（１０３ａ，１０３ｂ）を有し、各貫通孔１０３は丸孔である。
【０１１２】
落下防止部材１７０は、３つの照明ユニットＳＵ２の少なくとも１つの落下を防止する。落下防止部材１７０は、照明装置１Ｄの左右両側のうちの一方の側（例えば左側）に設けられる。なお、落下防止部材１７０は、照明装置１Ｄの左右両側に設けられてもよい。落下防止部材１７０は、例えばアルミ又はアルミ合金で形成されている。
【０１１３】
落下防止部材１７０は、上下２つ備えられている。上下２つの落下防止部材１７０は、互いに同じ構成である。上側の落下防止部材１７０Ｕ（第１落下防止部材）は、上段の照明ユニットＳＵ２の落下を防止する。下側の落下防止部材１７０Ｄ（第２落下防止部材）は、中段又は下段の照明ユニットＳＵ２の落下を防止する。
【０１１４】
上側の落下防止部材１７０Ｕは、側板部１７１と、前板部１７２とを有する（図１５参照）。側板部１７１は、上下方向に延びた例えば略矩形の板状である。本実施形態では、側板部１７１における後上角部及び後下角部は、面取りされている。前板部１７２は、側板部１７１の前辺から左方向（照明ユニットＳＵ２側）に突出すると共に側辺部１７１の前辺全体にわたって設けられている。下側の落下防止部材１７０Ｄも、上側の落下防止部材１７０Ｕと同様の構成である。
【０１１５】
上側の落下防止部材１７０Ｕは、上下２組の貫通孔１７３（１７３ａ，１７３ｂ）と、ワイヤー連結用の連結孔１７４とを有する（図１９参照）。
【０１１６】
上下２組の貫通孔１７３は、側板部１７１に設けられている。各貫通孔１７３は、側板部１７１を厚さ方向（左右方向）に貫通している。貫通孔１７３の各組はそれぞれ、複数（ここでは３つ）の貫通孔１７３を含む。上側の組の貫通孔１７３ａ（第４の組の貫通孔）は、側板部１７１における長手方向（上下方向）の略上半分において、側板部１７１の長手方向に並んで設けられている。上側の組の貫通孔１７３ａには、後述のように、３つのねじＮ１２ｂ（第２の組のねじ）の何れかのねじが挿入される。下側の組の貫通孔１７３ｂ（第３の組の貫通孔）は、側板部１７１における長手方向の略下半分において、側板部１７１の長手方向に並んで設けられている。下側の組の貫通孔１７ｂには、後述のように、３つのねじＮ１３ｂ（第１の組のねじ）の何れかのねじが挿入される。
【０１１７】
上側の組内の３つの貫通孔１７３ａのうち、上下２つの貫通孔１７３ａは丸孔であり、真ん中の貫通孔１７３ａは、長孔である。すなわち、上側の組の貫通孔１７３ａは、３つのねじＮ１２ｂの何れかが挿入される２つの丸孔（上下２つの貫通孔１７３ａ、第２丸孔）及び１つの長孔（真ん中の貫通孔１７３ａ、第２長孔）を有する。なお、長孔は、開口面が、側板部１７１の横幅方向（前後方向）に延びた長孔である。長孔（真ん中の貫通孔１７ａ）は、２つの丸孔（上下２つの貫通孔１７３ａ）の並び方向（すなわち上下方向）に交差（例えば直交）する方向に延びている。同様に、下側の組内の３つの貫通孔１７３ｂのうち、上下２つの貫通孔１７３ｂは丸孔であり、真ん中の貫通孔１７３ｂは、長孔である。すなわち、下側の組の貫通孔１７３ｂも、３つのねじＮ１３ｂの何れかが挿入される２つの丸孔（上下２つの貫通孔１７３ｂ、第１丸孔）及び１つの長孔（真ん中の貫通孔１７３ｂ、第１長孔）を有する。
【０１１８】
下側の落下防止部材１７０Ｄも、上側の落下防止部材１７０Ｕと同様に構成されている。すなわち、下側の落下防止部材１７０Ｄは、上下２組の貫通孔１７３（１７３ａ，１７３ｂ）と、ワイヤー連結用の連結孔１７４とを有する。この場合も、上側の組の貫通孔１７３ａ（第８の組の貫通孔）は、３つのねじＮ１４ｂ（第６の組のねじ）の何れかが挿入される２つの丸孔（上下２つの貫通孔１７３ａ、第４丸孔）及び１つの長孔（真ん中の貫通孔１７３ａ、第４長孔）を有する。下側の組の貫通孔１７３ｂ（第７の組の貫通孔）は、３つのねじＮ１５ｂ（第５の組のねじ）の何れかが挿入される２つの丸孔（上下２つの貫通孔１７３ａ、第３丸孔）及び１つの長孔（真ん中の貫通孔１７３ａ、第３長孔）を有する。
【０１１９】
連結孔１７４は、例えば丸孔であって、側板部１７１の所定箇所（例えば後縁の中央位置）に設けられている。本実施形態では、ワイヤー１９０の一端部が、ねじで、下側の落下防止部材１７０Ｄの連結孔１７４に連結される。ワイヤー１９０の他端部は、ねじで、例えば、右側の連結部材９Ｒ（第２連結部材）の台部９１にねじで連結される（図１８参照）。
【０１２０】
上側の落下防止部材１７０Ｕは、上段の照明ユニットＳＵ２の左端部１０１Ｌの外側面（すなわち左側面）と中段の照明ユニットＳＵ２の左端部１０１Ｌの外側面とに跨って配置される。この状態で、後述のように、ねじＮ１２ｂ，Ｎ１３ｂによって、上側の落下防止部材１７０Ｕは、左側の連結部材１５０と共に、上段及び中段の各々の照明ユニットＳＵ２に連結される。下側の落下防止部材１７０Ｄは、中段の照明ユニットＳＵ２の左端部１０１Ｌの外側面（すなわち左側面）と下段の照明ユニットＳＵ２の左端部１０１Ｌの外側面とに跨って配置される。この状態で、後述のように、ねじＮ１４ｂ，Ｎ１５ｂによって、下側の落下防止部材１７０Ｄは、左側の連結部材９Ｒと共に、中段及び下段の各々の照明ユニットＳＵ２に連結される。
【０１２１】
一対の連結部材１５０は、上段及び中段の各々の照明ユニットＳＵ２を互いに連結する。一対の連結部材１５０の各々は、互いに左右対称に形成されている。一対の連結部材１５０は、例えばアルミ又はアルミ合金で形成されている。以下、一対の連結部材１５０の各々を区別する場合は、連結部材１５０Ｌ，１５０Ｒと記載する。一対の連結部材１５０はそれぞれ、細長い板状である（図１９参照）。連結部材１５０Ｌ，１５０Ｒはそれぞれ、上下２組のねじ孔１５１を有する。各ねじ孔１５１は、連結部材１５０Ｌ，１５０Ｒを左右方向に貫通している。ねじ孔１５１の各組はそれぞれ、複数（ここでは３つ）のねじ孔１５１を含む。上側の組のねじ孔１５１ａは、連結部材１５１における長手方向の略上半分において、連結部材１５１の長手方向に並んで設けられている。下側の組のねじ孔１５１ｂは、連結部材１５１における長手方向の略下半分において、連結部材１５０の長手方向に並んで設けられている。
【０１２２】
より詳細には、連結部材１５０Ｌ，１５０Ｒはそれぞれ、本体部１５２と、上下２組のボス部１５３と、リブ１５４とを有する（図１９参照）。
【０１２３】
本体部１５２は、上下方向に細長い板状である。
【０１２４】
ボス部１５３は、ねじ孔１５１が設けられる部分である。ボス部１５３の各組はそれぞれ、複数（ここでは３つ）のボス部１５３を含む。各組のボス部１５３は、本体部１５２の左右両側の主面のうちの一方の主面（例えば外側の主面）に設けられている。上側の組のボス部１５３ａは、本体部１５２の一方の主面における長手方向の略上半分において、本体部１５２の長手方向に並んで設けられている。下側の組のボス部１５３ｂは、本体部１５２の一方の主面における長手方向の略下半分において、本体部１５２の長手方向に並んで設けられている。上下２組のボス部１５３は、上下２組のねじ孔１５１に一対一に対応している。各ボス部１５３には、対応するねじ孔１５１が設けられている。同じ組内のボス部１５３は、隣り合うボス部１５３の側面同士が連結されている。この連結によって連結部材１５１の強度が増強されている。
【０１２５】
リブ１５４は、本体部１５２の一方の主面において、上下２組のボス部１５３の間に設けられている。リブ１５４の上端は、上側の組内の一番下のボス部１５３ｂの側面に連結されている。リブ１５４の下端は、下側の組内の一番上のボス部１５３ａの側面に連結されている。
【０１２６】
左側の連結部材１５０Ｌは、上段の照明ユニットＳＵ２の左端部１０１Ｌの例えば内側面（すなわち右側面）と中段の照明ユニットＳＵ２の左端部１０１Ｌの例えば内側面とに跨って配置される（図１７参照）。この状態で、左側の連結部材１５０Ｌは、ねじＮ１２ａによって上段の照明ユニットＳＵ２の例えば左端部１０１Ｌと連結されると共に、ねじＮ１３ａによって中段の照明ユニットＳＵ２の例えば左端部１０１Ｌと連結される。より詳細には、３つのねじＮ１２ａがそれぞれ、上段の照明ユニットＳＵ２の左端部１０１Ｌの対応する貫通孔１０３ｂを通って、左側の連結部材１５０Ｌの対応するねじ孔１５１ａにねじ込まれる。また、３つのねじＮ１３ａがそれぞれ、中段の照明ユニットＳＵ２の左端部１０１Ｌの対応する貫通孔１０３ａを通って、左側の連結部材１５０Ｌの対応するねじ孔１５１ｂにねじ込まれる。この状態で、ねじＮ１２ａ，Ｎ１３ａのねじ軸は、照明ユニットＳＵ２の横幅方向（左右方向）に延びている。
【０１２７】
同様に、右側の連結部材１５０Ｒ（第１連結部材）は、上段の照明ユニットＳＵ２の右端部１０１Ｒの例えば内側面（すなわち左側面）と中段の照明ユニットＳＵ２の右端部１０１Ｒの例えば内側面とに跨って配置される（図１６参照）。また、上側の落下防止部材１７０Ｕは、上段の照明ユニットＳＵ２の右端部１０１Ｒの例えば外側面（すなわち右側面）と中段の照明ユニットＳＵ２の右端部１０１Ｒの例えば外側面とに跨って配置される（図１６参照）。この状態で、右側の連結部材１５０Ｒは、ねじＮ１２ｂ（第２の組のねじ）によって、上側の落下防止部材１７０Ｕと共に上段の照明ユニットＳＵ２の右端部１０１Ｒと連結される。また、右側の連結部材１５０Ｒは、ねじＮ１３ｂ（第１の組のねじ）によって、上側の落下防止部材１７０Ｕと共に中段の照明ユニットＳＵ２の右端部１０１Ｒと連結される。より詳細には、３つのねじＮ１２ｂがそれぞれ、上側の落下防止部材１７０Ｕの対応する貫通孔１７３ａ（第４の組の貫通孔）及び上段の照明ユニットＳＵ２の右端部１０１Ｒの対応する貫通孔１０３ｂを通って、右側の連結部材１５０Ｒの対応するねじ孔１５１ａにねじ込まれる。また、３つのねじＮ１３ｂがそれぞれ、上側の落下防止部材１７０Ｕの対応する貫通孔１７３ｂ（第３の組の貫通孔）及び中段の照明ユニットＳＵ２の右端部１０１Ｒの対応する貫通孔１０３ａを通って、右側の連結部材１５０Ｌの対応するねじ孔１５１ｂにねじ込まれる。この状態で、ねじＮ１２ｂ，Ｎ１３ｂのねじ軸は、照明ユニットＳＵ２の横幅方向（左右方向）に延びている。また、上側の落下防止部材１７０Ｕの長孔（すなわち上下各組の真ん中の貫通孔１７３ａ，１７３ｂ）は、前後方向（すなわち上下方向と横幅方向とに交差する方向）に延びている。
【０１２８】
なお、３つのねじＮ１２ｂのうち、長孔である真ん中の貫通孔１７３ａに挿入されるねじＮ１２ｂは、例えば段付きねじになっている。これにより、当該ねじＮ１２ｂは、緩まなくても、長孔内を円滑に移動可能である。同様に、３つのねじＮ１３ｂのうち、長孔である真ん中の貫通孔１７３ｂに挿入されるねじＮ１３ｂも、例えば段付きねじになっている。
【０１２９】
このように、一対の連結部材１５０によって、上段及び中段の各々の照明ユニットＳＵ２が互いに連結される。また、このように、上側の落下防止部材１７０Ｕが連結部材１５０Ｒと共に照明装置１Ｄに取り付けられている。
【０１３０】
本実施形態の支持部材８は、図１５〜図１８に示すように、実施形態２の支持部材８と比べて、左右の連結部材９Ｌ，９Ｒの台部９１の形状が異なる点と、２つの固定部材１０が省略される点とが異なる以外は、実質的に同じ構成である。このため、以下の説明では、支持部材８のうち、台部９１を中心に説明し、他の構成要素（連結部材９の支持部９２、アーム部材１１、目盛板１５）の説明は、実施形態２の場合と同じ符号を付して省略する。
【０１３１】
本実施形態の支持部材８の左右の連結部材９Ｌ，９Ｒ（特に台部９１）は、実施形態１の左右の連結部材９Ｌ，９Ｒと比べて、更に、中段及び下段の各々の照明ユニットＳＵ２を互いに連結する連結部材としても機能する。以下、左右の連結部材９Ｌ，９Ｒの台部９１を区別する場合は、台部９１を台部９１Ｌ，９１Ｒと記載する。
【０１３２】
台部９１は、図１９に示すように、上下方向に延びた棒状である。台部９１は、上下２組のねじ孔９５を有する。各ねじ孔９５は、台部９１を左右方向に貫通している。ねじ孔９５の各組はそれぞれ、複数（ここでは３つ）のねじ孔９５を含む。上側の組のねじ孔９５ａは、台部９１における長手方向（上下方向）の略上半分において、台部９１の長手方向に並んで設けられている。下側の組のねじ孔９５ｂは、台部９１における長手方向の略下半分において、台部９１の長手方向に並んで設けられている。
【０１３３】
左側の台部９１Ｌは、中段の照明ユニットＳＵ２の左端部１０１Ｌの内側面（すなわち右側面）と下段の照明ユニットＳＵ２の左端部１０１Ｌの内側面とに跨って配置される（図１８参照）。この状態で、左側の連結部材９Ｌの台部９１Ｌは、ねじＮ１４ａによって中段の照明ユニットＳＵ２の左端部１０１Ｌと連結され、ねじＮ１５ａによって下段の照明ユニットＳＵ２の左端部１０１Ｌと連結される。より詳細には、３つのねじＮ１４ａがそれぞれ、中段の照明ユニットＳＵ２の左端部１０１Ｌの対応する貫通孔１０３ｂを通って、左側の台部９１Ｌの対応するねじ孔９５ａにねじ込まれる。また、３つのねじＮ１５ａがそれぞれ、下段の照明ユニットＳＵ２の左端部１０１Ｌの対応する貫通孔１０３ａを通って、左側の台部９１Ｌの対応するねじ孔９５ｂにねじ込まれる。この状態で、ねじＮ１４ａ，Ｎ１５ａのねじ軸は、照明ユニットＳＵ２の横幅方向（左右方向）に延びている。
【０１３４】
同様に、右側の台部９１Ｒは、中段の照明ユニットＳＵ２の右端部１０１Ｒの例えば内側面（すなわち左側面）と下段の照明ユニットＳＵ２の右端部１０１Ｒの例えば内側面とに跨って配置される（図１６参照）。また、下側の落下防止部材１７０Ｄは、中段の照明ユニットＳＵ２の右端部１０１Ｒの例えば外側面（すなわち右側面）と下段の照明ユニットＳＵ２の右端部１０１Ｒの例えば外側面とに跨って配置される（図１６参照）。この状態で、右側の台部９１Ｒは、ねじＮ１４ｂ（第６の組のねじ）によって、下側の落下防止部材１７０Ｄと共に中段の照明ユニットＳＵ２の右端部１０１Ｒと連結される。また、右側の台部９１Ｒは、ねじＮ１５ｂ（第５の組のねじ）によって、下側の落下防止部材１７０Ｄと共に下段の照明ユニットＳＵ２の右端部１０１Ｒと連結される。より詳細には、３つのねじＮ１４ｂがそれぞれ、下側の落下防止部材１７０Ｄの対応する貫通孔１７３ａ（第８の組の貫通孔）及び中段の照明ユニットＳＵ２の右端部１０１Ｒの対応する貫通孔１０３ｂを通って、右側の台部９１Ｒの対応するねじ孔９５ａにねじ込まれる。また、３つのねじＮ１５ｂがそれぞれ、下側の落下防止部材１７０Ｄの対応する貫通孔１７３ｂ（第７の組の貫通孔）及び下段の照明ユニットＳＵ２の右端部１０１Ｒの対応する貫通孔１０３ａを通って、右側の台部９１Ｒの対応するねじ孔９５ｂにねじ込まれる。この状態で、ねじＮ１４ｂ，Ｎ１５ｂのねじ軸は、照明ユニットＳＵ２の横幅方向（左右方向）に延びている。また、下側の落下防止部材１７０Ｄの長孔（すなわち上下各組の真ん中の貫通孔１７３ａ，１７３ｂ）は、前後方向（すなわち上下方向と横幅方向とに交差する方向）に延びている。
【０１３５】
このように、一対の連結部材９（より詳細には台部９１）によって、中段及び下段の各々の照明ユニットＳＵ２が互いに連結される。また、このように、下側の落下防止部材１７０Ｄが連結部材９Ｒと共に照明装置１Ｄに取り付けられている。
【０１３６】
次に図２０を参照して落下防止部材１７０の動作を説明する。以下の説明では、上側の落下防止部材１７０Ｕの動作を例示する。上側の落下防止部材１７０Ｕは、上側３つのねじＮ１２ｂと、下側３つのねじＮ１３ｂとによって、照明装置１Ｄに固定されている。以下、上側３つのねじＮ１２ｂを互いに区別する場合は、それら３つのねじＮ１２ｂをそれぞれ、上のねじＮ１２Ｕ、真ん中のねじＮ１２Ｓ、下のねじＮ１２Ｄと記載する。
【０１３７】
例えば上のねじＮ１２Ｕが外れると、上段の照明ユニットＳＵ２の自重によって、真ん中のねじＮ１２Ｓが、それが挿通するねじ孔（すなわち長孔）１７３ａの長手方向に沿って相対的に矢印Ｙ１方向に移動する。すなわち、その真ん中のねじＮ１２Ｓの移動量だけ、上段の照明ユニットＳＵ２が下のねじＮ１２Ｄを中心に後方（矢印Ｙ２方向）に回転して傾斜する。なお、この傾斜は、上段の照明ユニットＳＵ２の右端部側だけ（すなわち落下防止部材１７０が設けられている側）で起こる。この傾斜によって、３つの照明ユニットＳＵ２を互いに連結するねじＮ１２ｂのうちの一部のねじＮ１２ｂが外れていることを、照明装置１Ｄの外観で判断可能になる。これにより、整備員が照明装置１Ｄを整備することで、照明ユニットＳＵ２の落下を防止できる。
【０１３８】
なお、上のねじＮ１２Ｕの代わりに下のねじＮ１２Ｄが外れた場合は、上のねじＮ１２Ｕを中心に回転して上段の照明ユニットＳＵ２が傾斜する。また、上側の落下防止部材１７０Ｕの下側３つのねじＮ１３ｂのうちの上下の何れかの一方のねじＮ１３ｂが外れた場合も、その上下何れかの他方のねじＮ１３ｂを中心に、上段の照明ユニットＳＵ２が後方に傾斜する。
【０１３９】
また、下側の落下防止部材１７０Ｄにおいて上側３つのねじＮ１４ｂのうち上下何れかの一方のねじＮ１４ｂが外れると、その上下何れかの他方のねじＮ１４ｂを中心に、中段の照明ユニットＳＵ２が自重で後方に傾斜する。また、下側の落下防止部材１７０Ｄにおいて下側３つのねじＮ１５ｂのうち上下何れかの一方のねじＮ１５ｂが外れると、その上下何れかの他方のねじＮ１５ｂを中心に、下段の照明ユニットＳＵ２が自重で後方に傾斜する。
【０１４０】
次に本実施形態の電源ボックス１８について説明する。電源ボックス１８は、図１６及び図２１に示すように、筐体１８ａの筐体構造が異なる点と、結線ボックス１９を固定する固定部材１８５を備える点と、落下防止用のワイヤー１９０で支持部材８に連結されている点が異なる以外は、実施形態２の電源ボックス１８と同様に構成されている。なお、照明装置１Ｄは、ワイヤー１９０を更に備えている。
【０１４１】
本実施形態の電源ボックス１８の筐体１８ａは、基部１８ｅと、カバー１８ｆとを有する。基部１８ｅは、基部本体１８ｇと、複数（ここでは４つ）の固定部１８ｈと、連結部１８ｋとを有する。基部本体１８ｇは、３つのＡＣ−ＤＣコンバータ１８１，１８２，１８３が取り付けられる部分であり、例えば略矩形の板状である。３つのＡＣ−ＤＣコンバータ１８１，１８２，１８３は、基部本体１８ｇの後面（取付面）において上下方向に並んだ状態で取り付けられている。
【０１４２】
固定部１８ｈは、一対の連結部材９の支持部９２の後端９２ｂに固定される部分である。固定部１８ｈは、基部本体１８ｇの左右両辺部から左右方向外側に突出するように、基部本体１８ｇに設けられている。複数の固定部１８ｈは、基部本体１８ｇの左右各側に２つずつ設けられている。左側の２つの固定部１８ｈはそれぞれ、ねじによって、左側の連結部材９Ｌの支持部９２の上下両端部９２ｂに固定される。右側の２つの固定部１８ｈはそれぞれ、ねじによって、右側の連結部材９Ｒの支持部９２ｂの上下両端部９２ｂに固定される。
【０１４３】
連結部１８ｋは、ワイヤー１９０（図１８参照）の一端部が固定される部分である。連結部１８ｋは、基部本体１８ｇの外周（例えば左辺）から外周側に突出するように、基部本体１８ｇに設けられている。ワイヤー１９０の一端部は、ねじ（例えば段付きねじ）で連結部１８ｋに連結され、ワイヤー１９０の他端部は、ねじ（例えば段付きねじ）で例えば支持部材８の左側の連結部材９Ｌの支持部９２に連結されている（図１８参照）。これにより、電源ボックス１８が支持部９２ｂから外れても、ワイヤー１９０によって、電源ボックス１８が照明装置１Ｄから落下することを防止できる。なお、本実施形態では、ワイヤー１９０は、複数（例えば２本）備えられている。複数のワイヤー１９０の各々の一端部が、共通のねじで連結部１８ｋに連結され、複数のワイヤー１９０の各々の他端部が、共通のねじで支持部９２ｂに連結されている。
【０１４４】
カバー１８ｆは、基部１８ｅの後面（取付面）を覆うように基部１８ｅに取り付けられる。基部１８ｅの後面がカバー１８ｆによって覆われることで、基部１８ｅの後面に設けられた３つのＡＣ−ＤＣコンバータ１８１，１８２，１８３が筐体１８ａ内に収容される。カバー１８ｆは、カバー本体１８ｉと、フランジ部１８ｊとを有する。カバー本体１８ｉは、例えば直方体形の箱状であり、前面が開口している。フランジ部１８ｊは、カバー本体１８ｉの開口前面の周縁から外周側に突出すると共に周縁全体にわたって設けられている。フランジ部１８ｊは、ねじによって、基部本体１８ｇの後面の周縁に重ねられた状態で固定される。これにより、カバー１８ｆが基部本体１８ｇに取り付けられる。なお、ねじを外すことで、カバー１８ｆは、基部本体１８ｇから取外可能である。
【０１４５】
この筐体１８ａでは、カバー１８ｆが基部１８ｅから外されると、基部本体１８ｇの後面（取付面）全体が露出される。このため、基部本体１８ｇの後面へのＡＣ−ＤＣコンバータ１８１，１８２，１８３の取付作業及び電源ボックス１８のメンテナンス作業の作業性が向上する。
【０１４６】
固定部材１８５は、複数（ここでは２つ）設けられている。固定部材１８５は、例えば金属であり、細長い板状である。固定部材１８５は、カバー１８ｆの形状に沿ってハット形状に折れ曲がっている。より詳細には、固定部材１８５は、中央部１８５Ｓと、左片部１８５Ｌと、右片部１８５Ｒとを有する（図２１参照）。中央部１８５Ｓは、カバー１８ｆの後面に沿って左右に延び、左片部１８５Ｌ及び右辺部１８５Ｒはそれぞれ、中央部１８５Ｓの左右両端から前方に延びている。左片部１８５Ｌ及び右辺部１８５Ｒの各々の先端部１８５ａは、左右方向の外側に曲がっている。固定部材１８５の左右両側の先端部１８５ａは、基部１８ｅの左右両側の固定部１８ｈにねじで固定される（図１６参照）。これにより、固定部材１８５が電源ボックス１８に固定される。結線ボックス１９は、２つの固定部材１８５の各々の中央部１８５Ｓに跨って配置された状態で、ねじでそれらの中央部１８５Ｓに固定される。
【０１４７】
この電源ボックス１８では、例えば、固定部材１８５を電源ボックス１８から外した後にカバー１８ｆを基部１８ｅから外す。これにより、電源ボックス１８へのＡＣ−ＤＣコンバータ１８１，１８２，１８３の取付作業及びメンテナンス作業を行うことができる。
【０１４８】
（実施形態４の変形例）
（変形例１）
実施形態４では、中段と下段の各々の照明ユニットＳＵ２が別体で構成され、連結部材９Ｌ，９Ｒで互いに連結される。ただし、中段と下段の各々の照明ユニットＳＵ２は、実施形態２の照明ユニットＳＵ１のように一体化されてもよい。換言すれば、本実施形態の中段及び下段の各々の照明ユニットＳＵ２は、実施形態２の照明ユニットＳＵ１を上下２つに分割したものに相当する。このように中段及び下段の各々の照明ユニットＳＵ２を一体化する場合は、下側の落下防止部材１７０Ｄは、省略されてもよい。また、この場合は、左側の連結部材１５０Ｌは、上段の照明ユニットＳＵ２の左端部の例えば内側面と、一体の照明ユニットＳＵ１の左端部の内側面とに跨って配置される。この状態で、ねじによって、左側の連結部材１５０Ｌは、上段の照明ユニットＳＵ２の左端部の例えば内側面と連結されると共に一体の照明ユニットＳＵ１の左端部の例えば内側面に連結される。同様に、右側の連結部材１５０Ｒは、上段の照明ユニットＳＵ２の右端部の例えば内側面と一体の照明ユニットＳＵ１の右端部の例えば内側面とに跨って配置される。この状態で、右側の連結部材１５０Ｒは、ねじによって、落下防止部材１７０Ｕと共に上段の照明ユニットＳＵ２の右端部と連結される。また、右側の連結部材１５０Ｒは、別のねじによって、落下防止部材１７０Ｕと共に一体の照明ユニットＳＵ１の右端部１０１Ｒと連結される。
【０１４９】
（変形例２）
実施形態４では、上段、中段及び下段の各々の照明ユニットはそれぞれ、光源ユニット２が横に２つ並ぶ照明ユニットＳＵ２であるが、上段、中段及び下段の各々の照明ユニットの光源ユニット２の個数及び並び方は、このように限定されない。例えば上段の照明ユニットは、２つの光源ユニット２が横に並ぶ照明ユニットＳＵ２であり、中段の照明ユニットは、４つの光源ユニット２が２行２列で並ぶ照明ユニットＳＵ１であり、下段の照明ユニットは、２つの光源ユニット２が横に並ぶ照明ユニットＳＵ２であってもよい。
【０１５０】
（変形例３）
実施形態４において、上段、中段及び下段の照明ユニットＳＵ２の順番を入れ替えてもよい。例えば、上段の照明ユニットＳＵ２（第２照明ユニット）が、一番下に配置されて、下段の照明ユニットＳＵ２（第３照明ユニット）と連結部材１５０（第１連結部材）によって連結されてもよい。すなわち、連結部材１５０によって、一番下に配置された上段の照明ユニットＳＵ２と下段の照明ユニットＳＵ２とが連結されてもよい。同様に、実施形態４の変形例も照明ユニットの順番を入れ替えてもよい。
【０１５１】
（変形例４）
実施形態４及びその変形例１〜３において、上段、中段及び下段の各々の照明ユニットＳＵ２の順番を入れ替えてもよい。
【０１５２】
（まとめ）
以上説明したように、第１の態様に係る照明装置（１Ａ，１Ｂ，１Ｃ）は、照明ユニット（ＳＵ１）と、支持部材（８）と、を備える。支持部材（８）は、照明ユニット（ＳＵ１）を支持する。照明ユニット（ＳＵ１）は、複数の光源ユニット（２）と、ヒートシンク（６）と、を備える。ヒートシンク（６）は、複数の光源ユニット（２）に設けられている。複数の光源ユニット（２）は、一方向に並んだ２つ以上の光源ユニット（２）を含む。ヒートシンク（６）は、一方向に並んだ２つ以上の光源ユニット（２）にわたって配置されている。
【０１５３】
この構成によれば、ヒートシンク（６）は、一方向に並んだ２つ以上の光源ユニット（２）にわたって配置されている。このため、一方向に並んだ２つ以上の光源ユニット（２）で発生した熱を、ヒートシンク（６）によって、より広い範囲にわたって拡散させて平均化できる。これにより、ヒートシンク（６）の放熱性を向上できる。
【０１５４】
第２の態様に係る照明装置（１Ｂ，１Ｃ）は、第１の態様において、照明ユニット（ＳＵ１）を第１照明ユニット（ＳＵ１）とし、複数の光源ユニット（２）の各々を第１光源ユニット（２）とし、ヒートシンク（６）を第１ヒートシンク（６）とする。照明装置（１Ｂ，１Ｃ）は、第２照明ユニット（ＳＵ２）と、連結部材（１１０Ｌ，１１０Ｒ）と、を備える。第２照明ユニット（ＳＵ２）は、第１照明ユニット（ＳＵ１）とは別の照明ユニットである。連結部材（１１０）は、第１照明ユニット（ＳＵ１）と第２照明ユニット（ＳＵ２）とを連結する。第２照明ユニット（ＳＵ２）は、第２光源ユニット（２）と、第２ヒートシンク（１００）と、を備える。第２ヒートシンク（１００）は、第２光源ユニット（２）に設けられている。第２照明ユニット（ＳＵ２）は、第１照明ユニット（ＳＵ１）の上側に空間（１２０）を空けて配置されている。
【０１５５】
この構成によれば、第２照明ユニット（ＳＵ２）が第１照明ユニット（ＳＵ１）の上側に追加されても、空間（１２０）によって、第１照明ユニット（ＳＵ１）で発生した熱が第２照明ユニット（ＳＵ２）に伝達することを抑制できる。この結果、照明装置（１Ｂ，１Ｃ）で発生した熱が第２照明ユニット（ＳＵ２）に集中することを抑制できる。
【０１５６】
第３の態様に係る照明装置（１Ｂ，１Ｃ）では、第２の態様において、第１照明ユニット（ＳＵ１）と第２照明ユニット（ＳＵ２）とが並ぶ方向に直交する方向を側方とする。連結部材（１１０Ｌ，１１０Ｒ）は、第１照明ユニット（ＳＵ１）及び第２照明ユニット（ＳＵ２）の各々の側方に配置されている。
【０１５７】
この構成によれば、第１照明ユニット（ＳＵ１）及び第２照明ユニット（ＳＵ２）の各々の側方に配置された連結部材（１１０Ｌ，１１０Ｒ）だけで、第１照明ユニット（ＳＵ１）の上側に第２照明ユニット（ＳＵ２）を連結できる。
【０１５８】
第４の態様に係る照明装置（１Ｂ，１Ｃ）では、第３の態様において、第２光源ユニット（ＳＵ２）は、複数設けられている。第２ヒートシンク（１００）は、複数の第２光源ユニット（２）にわたって配置されている。連結部材（１１０Ｌ，１１０Ｒ）は、第１ヒートシンク（６）及び第２ヒートシンク（１００）の各々の側方に配置されて、第１ヒートシンク（６）と第２ヒートシンク（１００）とを連結する。
【０１５９】
この構成によれば、第２照明ユニット（ＳＵ２）の複数の第２光源ユニット（２）は、第２ヒートシンク（１００）によって互いに連結される。このため、第１ヒートシンク（６）及び第２ヒートシンク（１００）の各々の側方に配置された連結部材（１１０Ｌ，１１０Ｒ）だけで、第１照明ユニット（ＳＵ１）の上側に、複数の第２光源ユニット（２）及び第２ヒートシンク（１００）を追加できる。
【０１６０】
第５の態様に係る照明装置（１Ｂ）では、第２〜第４の態様の何れか１つにおいて、第１ヒートシンク（６）は、第１ベース部（６１）と、第１放熱フィン（６２）とを有する。第１放熱フィン（６２）は、第１ベース部（６１）から突出されている。第２ヒートシンク（１００）は、第２ベース部（１０１）と、第２放熱フィン（１０２）とを有する。第２放熱フィン（１０２）は、第２ベース部（１０１）から突出されている。第１ベース部（６１）からの第１放熱フィン（６２）の高さ（Ｗ１）は、第２ベース部（１０１）からの第２放熱フィン（１０２）の高さ（Ｗ２）と異なる。
【０１６１】
この構成によれば、第１放熱フィン（６２）及び第２放熱フィン（１０２）の各々のベース部（６１，１０１）に沿った熱拡散性能を異ならせることができる。
【０１６２】
第６の態様に係る照明装置（１Ｂ）では、第５の態様において、第１ベース部（６１）からの第１放熱フィン（６２）の高さ（Ｗ１）は、第２ベース部（１０１）からの第２放熱フィン（１０２）の高さ（Ｗ２）よりも低い。
【０１６３】
この構成よれば、第１ヒートシンク（６）では、第２ヒートシンク（１００）よりも、第１ベース部（６１）に沿った方向に熱が拡散し易くなる。この結果、第１ヒートシンク（６）は、第２ヒートシンク（１００）よりも、ベース部（６１）に沿った熱拡散性能を向上できる。
【０１６４】
第７の態様に係る照明装置（１Ｃ）では、第２〜第６の態様の何れか１つにおいて、第２照明ユニット（ＳＵ２）は、連結部材（１１０）に対して可動可能に連結されている。
【０１６５】
この構成によれば、第２ヒートシンク（１００）の向きを、第１ヒートシンク（６）の向きとは独立して可動可能である。この結果、第１ヒートシンク（６）の放熱性を損なうことなく、第２ヒートシンク（１００）の放熱性を調整可能である。
【０１６６】
第８の態様の照明装置（１Ｄ）は、第２〜第７の態様の何れか１つの態様において、第１照明ユニット（例えば図１５の中段及び下段の各々の照明ユニットＳＵ２をまとめた全体）及び第２照明ユニット（例えば図１５の上段の照明ユニットＳＵ２）の少なくとも一方の落下を防止するための落下防止部材（１７０Ｕ）を更に備える。連結部材（１５０Ｒ）は、第１の組のねじ（Ｎ１３ｂ）によって落下防止部材（１７０Ｕ）と共に第１照明ユニットに連結され、第２の組のねじ（Ｎ１２ｂ）によって落下防止部材（１７０Ｕ）と共に第２照明ユニットに連結される。落下防止部材（１７０Ｕ）は、第３の組の貫通孔（１７３ｂ）と、第４の組の貫通孔（１７３ａ）とを有する。第３の組の貫通孔（１７３ｂ）は、第１の組のねじ（Ｎ１３ｂ）が挿入される２つの第１丸孔（上下２つの貫通孔１７３ｂ）及び１つの第１長孔（真ん中の貫通孔１７３ｂ）を有する。第１長孔は、２つの第１丸孔の並ぶ方向に交差する方向に延びている。第４の組の貫通孔（１７４ａ）は、第２の組のねじ（Ｎ１２ｂ）かが挿入される２つの第２丸孔（上下２つの貫通孔１７３ａ）及び１つの第２長孔（真ん中の貫通孔１７３ａ）を有する。第２長孔は、２つの第２丸孔の並ぶ方向に交差する方向に延びている。
【０１６７】
この構成によれば、例えば第４の組内の２つの第２丸孔（上下２つの貫通孔１７３ａ）のうちの一方の第２丸孔（例えば上側の貫通孔１７３ａ）に挿入されたねじ（Ｎ１２Ｕ）が外れると、第２照明ユニット（例えば図１５の上段の照明ユニットＳＵ２）の自重によって、第４の組の第２長孔（真ん中の貫通孔１７３ａ）に挿入されたねじ（Ｎ１２Ｓ）が第２長孔の長手方向に沿って相対的に移動する。すなわち、第２長孔に挿入されたねじ（Ｎ１２Ｓ）の移動量だけ、第２照明ユニットが２つの第２丸孔のうちの他方の第２丸孔（下側の貫通孔１７３ａ）に挿入されたねじ（Ｎ１２Ｄ）を中心に傾斜する。第３の組の２つの第１丸孔のうちの一方の第１丸孔に挿入されたねじが外れた場合も同様に、第２照明ユニットが傾斜する。この傾斜によって、第１照明ユニット及び第２照明ユニットを互いに連結するねじ（Ｎ１２ｂ，Ｎ１３ｂ）のうちの一部のねじ（例えばＮ１２Ｕ）が外れていることを、照明装置（１Ｄ）の外観で判断可能なる。これにより、整備員が照明装置（１Ｄ）を整備することで、第１照明ユニット又は第２照明ユニットの落下を防止できる。
【０１６８】
第９の態様の照明装置（１Ｄ）では、第８の態様において、第１照明ユニット（例えば図１５の中段及び下段の各々の照明ユニットＳＵ２をまとめた全体）及び第２照明ユニット（例えば図１５の上段の照明ユニットＳＵ２）は、互いに上下方向に並んでいる。連結部材（１５０Ｒ）は、第１の組のねじ（Ｎ１３ｂ）及び第２の組のねじ（Ｎ１２ｂ）によって、第１照明ユニット及び第２照明ユニットの各々における横幅方向の端部（１０１Ｒ）に連結されている。第１の組のねじ（Ｎ１３ｂ）及び第２の組のねじ（Ｎ１２ｂ）の各々のねじ軸は、横幅方向（左右方向）に延びている。第１長孔（下側の組の真ん中の貫通孔１７３ｂ）及び第２孔（上側の組の真ん中の貫通孔１７３ａ）はそれぞれ、上下方向と横幅方向とに交差する方向（前後方向）に延びている。
【０１６９】
この構成によれば、第３の組内の２つの第１丸孔（上下２つの貫通孔１７３ｂ）のうちの一方の第１丸孔に挿入されたねじ（上下２つのねじＮ１３ｂのうちの一方のねじ）、又は、第４の組の２つの第２丸孔（上下２つの貫通孔１７３ａ）のうちの一方の第２丸孔に挿入されたねじ（上下２つのねじＮ１２ｂのうちの一方のねじ）が外れた場合に、第１照明ユニット又は第２照明ユニットを前後に傾斜させることができる。
【０１７０】
第１０の態様の照明装置（１Ｄ）では、第８又は第９の態様において、連結部材（１５０Ｒ）を第１連結部材（１５０Ｒ）とし、落下防止部材（１７０Ｕ）を第１落下防止部材（１７０Ｕ）とする。第１照明ユニット（例えば図１５の中段及び下段の各々の照明ユニットＳＵ２をまとめた全体）は、第３照明ユニット（例えば図１５の下段の照明ユニットＳＵ２）及び第４照明ユニット（中段の照明ユニットＳＵ２）を有する。照明装置（１Ｄ）は、第３照明ユニット及び第４照明ユニットを連結する第２連結部材（９Ｒ）と、第３照明ユニット又は第４照明ユニットの落下を防止する第２落下防止部材（１７０Ｄ）とを更に備える。第１連結部材（１５０Ｒ）は、第３照明ユニット及び第４照明ユニットのうちの一方と第２照明ユニット（上段の照明ユニットＳＵ２）を連結する。第２連結部材（９Ｒ）は、第５の組のねじ（Ｎ１５ｂ）によって第２落下防止部材（１７０Ｄ）と共に第３照明ユニットと連結され、第６の組のねじ（Ｎ１４ｂ）によって第２落下防止部材（１７０Ｄ）と共に第４照明ユニットと連結される。第２落下防止部材（１７０Ｄ）は、第７の組の貫通孔（１７３ｂ）と、第８の組の貫通孔（１７３ａ）とを有する。第７の組の貫通孔（１７３ｂ）は、第５の組のねじ（Ｎ１５ｂ）が挿入される２つの第３丸孔（上下２つの貫通孔１７３ｂ）及び１つの第３長孔（真ん中の貫通孔１７３ｂ）を有する。第３長孔は、２つの第３丸孔の並ぶ方向に交差する方向に延びている。第８の組の貫通孔（１７３ａ）は、第６の組のねじ（Ｎ１４ｂ）の何れかが挿入される２つの第４丸孔（上下２つの貫通孔１７３ａ）及び１つの第４長孔（真ん中の貫通孔１７３ａ）を有する。第４長孔は、２つの第４丸孔の並ぶ方向に交差する方向に延びている。
【０１７１】
この構成によれば、第１照明ユニットが第３照明ユニット（例えば図１５の下段の照明ユニットＳＵ２）及び第４照明ユニット（例えば図１５の中段の照明ユニットＳＵ２）で構成され、第３照明ユニット及び第４照明ユニットが第２連結部材（９Ｒ）で連結される場合も、第２落下防止部材（１７０Ｄ）によって第３照明ユニット又は第４照明ユニットの落下を防止できる。
【０１７２】
第１１の態様に係る照明装置（１Ａ，１Ｂ，１Ｃ）では、第１〜第１０の態様の何れか１つにおいて、照明ユニット（ＳＵ１）は、光軸（Ｌ１）を有する。支持部材（８）は、固定板（１２）と、アーム片（１３Ｌ，１３Ｒ）と、を備える。固定板（１２）は、所定の設置場所に固定される。アーム片（１３Ｌ，１３Ｒ）は、固定板（１２）から延び、照明ユニット（ＳＵ１）の側面に回転可能に連結されている。アーム片（１３Ｌ，１３Ｒ）の両側の主面（１３Ｌａ，１３Ｒａ）は、光軸（Ｌ１）が固定板（１２）に平行であるときの光軸（Ｌ１）に平行である。
【０１７３】
この構成によれば、光軸（Ｌ１）が固定板（１２）に平行なときの光軸（Ｌ１）に沿った方向から見ると、アーム片（１３Ｌ，１３Ｒ）は、アーム片（１３Ｌ，１３Ｒ）の厚さ（Ｄ１，Ｄ２）しか見えない。これにより、各アーム片（１３Ｌ，１３Ｒ）の配置スペースは、照明ユニット（ＳＵ１）の側方方向に関しては、アーム片（１３Ｌ，１３Ｒ）の厚さ分（Ｄ１，Ｄ２）の大きさで足りるため、照明装置（１Ａ，１Ｂ，１Ｃ）のコンパクト化に寄与できる。
【０１７４】
第１２の態様に係る照明装置（１Ａ，１Ｃ）は、第１〜第１１の態様の何れか１つにおいて、電源ボックス（１８）を更に備える。電源ボックス（１８）は、照明ユニット（ＳＵ１）に電力を供給する。複数の光源ユニット（２）と電源ボックス（１８）との間にヒートシンク（６）が配置されている。ヒートシンク（６）における電源ボックス（１８）の側から見て、電源ボックス（１８）は、ヒートシンク（６）の輪郭の範囲内に配置されている。
【０１７５】
この構成によれば、電源ボックス（１８）を備えても、照明装置（１Ａ，１Ｃ）の横幅及び高さが大型化することを抑制できる。
【０１７６】
第１３の態様の照明装置（１Ｄ）では、第１２の態様において、電源ボックス（１８）は、基部（１８ｅ）と、複数のコンバータ（１８１〜１８３）と、カバー（１８ｆ）とを備える。複数のコンバータ（１８１〜１８３）は、基部（１８ｅ）の取付面（後面）に取り付けられている。カバー（１８ｆ）は、取付面を覆うように基部（１８ｅ）に着脱可能に取り付けられている。
【０１７７】
この構成によれば、カバー（１８ｆ）を外すと、基部（１８ｅ）の取付面全体を露出させることができるため、コンバータ（１８１〜１８３）の取付作業及び電源ボックス（１８）のメンテナンス作業の作業性を向上できる。
【０１７８】
第１４の態様の照明装置（１Ｄ）は、第１３の態様において、落下防止ワイヤー（１９０）を更に備える。基部（１８ｅ）は、落下防止用のワイヤー（１９０）の一端部が連結される連結部（１８ｋ）を有する。ワイヤー（１９０）の他端部は、支持部材（８）に連結されている。
【０１７９】
この構成によれば、落下防止ワイヤー（１９０）によって電源ボックス（１８）が照明装置（１Ｄ）から落下することを防止できる。
【０１８０】
第１５の形態に係る照明装置（１Ｃ）は、第１２の態様において、結線ボックス（１９）を更に備える。結線ボックス（１９）は、複数の光源ユニット（２）に電気的に接続された電線と、電源ボックス（１８）の電源回路（１８１，１８２，１８３）に電気的に接続された電線とを電気的に接続する。電源ボックス（１８）は、ヒートシンク（６）と結線ボックス（１９）との間に配置されている。
【０１８１】
この構成によれば、照明装置（１Ａ，１Ｂ，１Ｃ，１Ｄ）の両側に結線ボックス（１９）の配置スペースを確保する必要が無くなり、照明装置（１Ａ，１Ｂ，１Ｃ）の横寸法を小型化できる。
【０１８２】
第１６の態様に係る照明装置（１Ａ，１Ｂ，１Ｃ，１Ｄ）は、第１〜第１５の態様の何れか１つにおいて、複数のカバー（３）を備える。複数のカバー（３）は、複数の光源ユニット（２）のうちの少なくとも１つの光源ユニット（２）を覆う。複数のカバー（３）は、一方向に並んだ２つ以上のカバー（３）を含む。一方向に並んだ２つ以上のカバー（３）は、隣合うカバー（３）が隣接して配置されている。
【０１８３】
この構成によれば、一方向に並んだ２つ以上のカバー（３）における隣合うカバー（３）が隣接して配置される分、照明ユニット（ＳＵ１）における一方向の長さを短くでき、照明装置（１Ａ，１Ｂ，１Ｃ，１Ｄ）を小型化できる。
【符号の説明】
【０１８４】
１Ａ，１Ｂ，１Ｃ  照明装置
３  カバー
２  光源ユニット（第１光源ユニット、第２光源ユニット）
６  ヒートシンク
８  支持部材
９Ｒ  連結部材（第２連結部材）
１２  固定板
１３Ｌ，１３Ｒ  アーム片
１８  電源ボックス
１８ｅ  基部
１８ｆ  カバー
６１  ベース部（第１ベース部）
６２  放熱フィン（第１放熱フィン）
１１０Ｌ，１１０Ｒ  連結部材
１０１  ベース部（第２ベース部）
１０２  放熱フィン（第２放熱フィン）
１５０Ｒ  連結部材（第１連結部材）
１７０Ｕ  落下防止部材（第１落下防止部材）
１７０Ｄ  落下防止部材（第２落下防止部材）
１７３ａ  貫通孔（第４の組の貫通孔、第８の組の貫通孔）
１７３ｂ  貫通孔（第３の組の貫通孔、第７の組の貫通孔）
ねじ  Ｎ１２ｂ  第２の組のねじ
ねじ  Ｎ１３ｂ  第１の組のねじ
ねじ  Ｎ１４ｂ  第６の組のねじ
ねじ  Ｎ１５ｂ  第５の組のねじ
Ｌ１  光軸
ＳＵ１  照明ユニット（第１照明ユニット）
ＳＵ２  照明ユニット（第２照明ユニット、第３照明ユニット、第４照明ユニット）
Ｗ１，Ｗ２  放熱フィンの高さ
【図１】
2020009760.tif 000003
【図２】
2020009760.tif 000004
【図３】
2020009760.tif 000005
【図４】
2020009760.tif 000006
【図５】
2020009760.tif 000007
【図６】
2020009760.tif 000008
【図７】
2020009760.tif 000009
【図８】
2020009760.tif 000010
【図９】
2020009760.tif 000011
【図１０】
2020009760.tif 000012
【図１１】
2020009760.tif 000013
【図１２】
2020009760.tif 000014
【図１３】
2020009760.tif 000015
【図１４】
2020009760.tif 000016
【図１５】
2020009760.tif 000017
【図１６】
2020009760.tif 000018
【図１７】
2020009760.tif 000019
【図１８】
2020009760.tif 000020
【図１９】
2020009760.tif 000021
【図２０】
2020009760.tif 000022
【図２１】
2020009760.tif 000023